(57)【要約】  本開示のいくつかの態様は、一般に、5Gワイヤレス通信システム内でスクランブルされたペイロードの複数の判定メトリックを合成するための技法に関する。たとえば、場合によっては、スクランブルされたペイロードの判定メトリックの合成は、一般に、符号化の前と後の両方でスクランブルされた第1のペイロードを受信機において受信することと、選択的に設定されたペイロードマスクビットを有する第2のペイロードを受信機において生成することと、第1のペイロードをデスクランブルするために第2のペイロード内の選択的に設定されたペイロードマスクビットを使用することとを伴い得る。
2021513789.tif 000002
【特許請求の範囲】
【請求項１】
受信デバイスにおいて実行されるワイヤレス通信の方法であって、
第1のペイロードのビットに対応する第1のコードワードの対数尤度比(LLR)を現在の送信内で受信するステップであって、
前記第1のペイロードの前記ビットは、前記第1のコードワードを形成するために符号化される前に1度目のスクランブルが施され、前記第1のコードワードのビットは、前記第1のコードワードの符号化の後で送信の前にさらに2度目のスクランブルが施される、ステップと、
前記現在の送信の受信に応答して第2のペイロードを生成するステップであって、前記第2のペイロードを生成するステップが、前記第2のペイロード内で複数のペイロードマスクビットを選択的に設定するステップを含む、ステップと、
第2のコードワードを形成するために前記第2のペイロードを符号化するステップと、
第1のスクランブリングシーケンスを生成するステップと、
前記2度目の前記スクランブリングと関連付けられた前記受信されたLLR内の第1の影響を、前記第1のスクランブリングシーケンスに基づいて除去するステップと、
前記1度目の前記スクランブリングと関連付けられた前記受信されたLLR内の第2の影響を、前記第2のコードワードに基づいて除去するステップと、
前記受信されたLLR内の前記第1の影響および前記第2の影響が除去された後、前記現在の送信の前記受信されたLLRを前の送信のLLRと合成するステップと、
前記現在の送信の前記合成されたLLRおよび前記前の送信の前記LLRに少なくとも部分的に基づいて前記第1のコードワードを復号するステップと
を含む、方法。
【請求項２】
前記第2の影響を除去するステップが、前記選択的に設定された複数のペイロードマスクビットを使用して前記受信されたLLR内のペイロードマスクビットと関連付けられた影響を除去するステップを含む、請求項1に記載の方法。
【請求項３】
前記第1のスクランブリングシーケンスを生成するステップが、セルIDに基づいて初期シードを有するGoldシーケンス生成器を使用して前記第1のスクランブリングシーケンスを生成するステップを含む、請求項1に記載の方法。
【請求項４】
前記第2のコードワードを形成するために前記第2のペイロードを符号化するステップが、
第2のスクランブリングシーケンスを生成するステップと、
前記第2のペイロードを符号化する前に前記第2のペイロードをスクランブルするために前記第2のスクランブリングシーケンスを使用するステップと
をさらに含む、請求項1に記載の方法。
【請求項５】
前記第2のスクランブリングシーケンスが、セルIDに基づいて初期シードを有するGoldシーケンス生成器を使用して生成される、請求項4に記載の方法。
【請求項６】
前記第2のペイロード内の前記複数のペイロードマスクビットが、前記第2のペイロード内のビットインデックスS9〜S3、S2、S1、S0、C0およびb5〜b3に対応する、請求項4に記載の方法。
【請求項７】
前記第2のペイロード内のビットインデックスS1、S2、C0、b3、b4およびb5に対応するマスクビットが、前記第2のペイロードをスクランブルするときにスクランブルされない、請求項6に記載の方法。
【請求項８】
前記第2のコードワードを形成するために前記第2のペイロードを符号化するステップが、
前記第2のペイロードに基づいて巡回冗長検査(CRC)を生成するステップと、
前記第2のペイロード内に前記CRCを含めるステップと
をさらに含む、請求項4に記載の方法。
【請求項９】
前記第1のペイロードおよび前記第2のペイロードが、Polar符号を使用して符号化される、請求項1に記載の方法。
【請求項１０】
前記第2のペイロードを生成するステップが、前記第2のペイロード内の前記複数のペイロードマスクビット内に含まれない残りの数のビットをゼロに設定するステップをさらに含む、請求項1に記載の方法。
【請求項１１】
前記第1のコードワードと関連付けられた巡回冗長検査(CRC)を検査するステップと、
前記第1のコードワードと関連付けられた前記CRCが合格しない場合、前記第1のコードワードと関連付けられた前記CRCが合格するまで、前記第2のペイロードの生成と、前記第2のペイロード内の第2の複数のペイロードマスクビットを前記第2のペイロードの前の生成と異なる値に設定することとを反復するステップとをさらに含む、請求項1に記載の方法。
【請求項１２】
受信デバイスにおいて実行されるワイヤレス通信のための装置であって、
少なくとも1つのプロセッサであって、
第1のペイロードのビットに対応する第1のコードワードの対数尤度比(LLR)を現在の送信内で受信することであって、
前記第1のペイロードの前記ビットは、前記第1のコードワードを形成するために符号化される前に1度目のスクランブルが施され、前記第1のコードワードのビットは、前記第1のコードワードの符号化の後で送信の前にさらに2度目のスクランブルが施される、受信することと、
前記現在の送信の受信に応答して第2のペイロードを生成することであって、前記第2のペイロードを生成することが、前記第2のペイロード内で複数のペイロードマスクビットを選択的に設定することを含む、生成することと、
第2のコードワードを形成するために前記第2のペイロードを符号化することと、
第1のスクランブリングシーケンスを生成することと、
前記2度目の前記スクランブリングと関連付けられた前記受信されたLLR内の第1の影響を、前記第1のスクランブリングシーケンスに基づいて除去することと、
前記1度目の前記スクランブリングと関連付けられた前記受信されたLLR内の第2の影響を、前記第2のコードワードに基づいて除去することと、
前記受信されたLLR内の前記第1の影響および前記第2の影響が除去された後、前記現在の送信の前記受信されたLLRを前の送信のLLRと合成することと、
前記現在の送信の前記合成されたLLRおよび前記前の送信の前記LLRに少なくとも部分的に基づいて前記第1のコードワードを復号することと
を行うように構成された、プロセッサと、
前記少なくとも1つのプロセッサと結合されたメモリとを備える、装置。
【請求項１３】
前記少なくとも1つのプロセッサが、前記選択的に設定された複数のペイロードマスクビットを使用して前記受信されたLLR内のペイロードマスクビットと関連付けられた影響を除去することによって前記第2の影響を除去するように構成される、請求項12に記載の装置。
【請求項１４】
前記少なくとも1つのプロセッサが、セルIDに基づいて初期シードを有するGoldシーケンス生成器を使用して前記第1のスクランブリングシーケンスを生成するように構成される、請求項12に記載の装置。
【請求項１５】
前記少なくとも1つのプロセッサが、
第2のスクランブリングシーケンスを生成することと、
前記第2のペイロードを符号化する前に前記第2のペイロードをスクランブルするために前記第2のスクランブリングシーケンスを使用することと
によって前記第2のコードワードを形成するために前記第2のペイロードを符号化するように構成される、請求項12に記載の装置。
【請求項１６】
前記少なくとも1つのプロセッサが、セルIDに基づいて初期シードを有するGoldシーケンス生成器を使用して前記第2のスクランブリングシーケンスを生成するように構成される、請求項15に記載の装置。
【請求項１７】
前記第2のペイロード内の前記複数のペイロードマスクビットが、前記第2のペイロード内のビットインデックスS9〜S3、S2、S1、S0、C0およびb5〜b3に対応する、請求項15に記載の装置。
【請求項１８】
前記第2のペイロード内のビットインデックスS1、S2、C0、b3、b4およびb5に対応するマスクビットが、前記第2のペイロードをスクランブルするときにスクランブルされない、請求項17に記載の装置。
【請求項１９】
前記少なくとも1つのプロセッサが、
前記第2のペイロードに基づいて巡回冗長検査(CRC)を生成することと、
前記第2のペイロード内に前記CRCを含めることと
によって前記第2のコードワードを形成するために、前記第2のペイロードを符号化するようにさらに構成される、請求項15に記載の装置。
【請求項２０】
前記第1のペイロードおよび前記第2のペイロードが、Polar符号を使用して符号化される、請求項12に記載の装置。
【請求項２１】
前記少なくとも1つのプロセッサが、前記第2のペイロード内の前記複数のペイロードマスクビット内に含まれない残りの数のビットをゼロに設定することによって前記第2のペイロードを生成するようにさらに構成される、請求項12に記載の装置。
【請求項２２】
前記少なくとも1つのプロセッサが、
前記第1のコードワードと関連付けられた巡回冗長検査(CRC)を検査することと、
前記第1のコードワードと関連付けられた前記CRCが合格しない場合、前記第1のコードワードと関連付けられた前記CRCが合格するまで、前記第2のペイロードの生成と前記第2のペイロード内の第2の複数のペイロードマスクビットを前記第2のペイロードの前の生成と異なる値に設定することとを反復することと
を行うようにさらに構成される、請求項12に記載の装置。
【請求項２３】
受信デバイスにおいて実行されるワイヤレス通信のための装置であって、
第1のペイロードのビットに対応する第1のコードワードの対数尤度比(LLR)を現在の送信内で受信するための手段であって、
前記第1のペイロードの前記ビットは、前記第1のコードワードを形成するために符号化される前に1度目のスクランブルが施され、前記第1のコードワードのビットは、前記第1のコードワードの符号化の後で送信の前にさらに2度目のスクランブルが施される、手段と、
前記現在の送信の受信に応答して第2のペイロードを生成するための手段であって、前記第2のペイロードを生成することが、前記第2のペイロード内で複数のペイロードマスクビットを選択的に設定することを含む、手段と、
第2のコードワードを形成するために前記第2のペイロードを符号化するための手段と、
第1のスクランブリングシーケンスを生成するための手段と、
前記2度目の前記スクランブリングと関連付けられた前記受信されたLLR内の第1の影響を、前記第1のスクランブリングシーケンスに基づいて除去するための手段と、
前記1度目の前記スクランブリングと関連付けられた前記受信されたLLR内の第2の影響を、前記第2のコードワードに基づいて除去するための手段と、
前記受信されたLLR内の前記第1の影響および前記第2の影響が除去された後、前記現在の送信の前記受信されたLLRを前の送信のLLRと合成するための手段と、
前記現在の送信の前記合成されたLLRおよび前記前の送信の前記LLRに少なくとも部分的に基づいて前記第1のコードワードを復号するための手段と
を含む、装置。
【請求項２４】
前記第2の影響を除去するための前記手段が、前記選択的に設定された複数のペイロードマスクビットを使用して前記受信されたLLR内のペイロードマスクビットと関連付けられた影響を除去するための手段を含む、請求項23に記載の装置。
【請求項２５】
前記第1のスクランブリングシーケンスを生成するための前記手段が、セルIDに基づいて初期シードを有するGoldシーケンス生成器を使用して前記第1のスクランブリングシーケンスを生成するための手段を含む、請求項23に記載の装置。
【請求項２６】
前記第2のコードワードを形成するために前記第2のペイロードを符号化するための前記手段が、
第2のスクランブリングシーケンスを生成するための手段と、
前記第2のペイロードを符号化する前に前記第2のペイロードをスクランブルするために前記第2のスクランブリングシーケンスを使用するための手段と
をさらに含む、請求項23に記載の装置。
【請求項２７】
前記第2のスクランブリングシーケンスが、セルIDに基づいて初期シードを有するGoldシーケンス生成器を使用して生成される、請求項26に記載の装置。
【請求項２８】
前記第2のペイロード内の前記複数のペイロードマスクビットが、前記第2のペイロード内のビットインデックスS9〜S3、S2、S1、S0、C0およびb5〜b3に対応する、請求項26に記載の装置。
【請求項２９】
前記第2のペイロード内のビットインデックスS1、S2、C0、b3、b4およびb5に対応するマスクビットが、前記第2のペイロードをスクランブルするときにスクランブルされない、請求項28に記載の装置。
【請求項３０】
前記第2のコードワードを形成するために前記第2のペイロードを符号化するための前記手段が、
前記第2のペイロードに基づいて巡回冗長検査(CRC)を生成するための手段と、
前記第2のペイロード内に前記CRCを含めるための手段と
をさらに含む、請求項26に記載の装置。
【請求項３１】
前記第1のペイロードおよび前記第2のペイロードが、polar符号を使用して符号化される、請求項23に記載の装置。
【請求項３２】
前記第2のペイロードを生成するための前記手段が、前記第2のペイロード内の前記複数のペイロードマスクビット内に含まれない残りの数のビットをゼロに設定するための手段をさらに含む、請求項23に記載の装置。
【請求項３３】
前記第1のコードワードと関連付けられた巡回冗長検査(CRC)を検査するための手段と、
前記第1のコードワードと関連付けられた前記CRCが合格しない場合、前記第1のコードワードと関連付けられた前記CRCが合格するまで、前記第2のペイロードの生成と前記第2のペイロード内の第2の複数のペイロードマスクビットを前記第2のペイロードの前の生成と異なる値に設定することとを反復するための手段と
をさらに含む、請求項23に記載の装置。
【請求項３４】
受信デバイスにおいて実行されるワイヤレス通信のための非一時的コンピュータ可読記録媒体であって、
少なくとも1つのプロセッサによって実行されたとき、前記少なくとも1つのプロセッサに、
第1のペイロードのビットに対応する第1のコードワードの対数尤度比(LLR)を現在の送信内で受信することであって、
前記第1のペイロードのビットは、前記第1のコードワードを形成するために符号化される前に1度目のスクランブルが施され、前記第1のコードワードの前記ビットは、前記第1のコードワードの符号化の後で送信の前にさらに2度目のスクランブルが施される、受信することと、
前記現在の送信の受信に応答して第2のペイロードを生成することであって、前記第2のペイロードを生成することが、前記第2のペイロード内で複数のペイロードマスクビットを選択的に設定することを含む、生成することと、
第2のコードワードを形成するために前記第2のペイロードを符号化することと、
第1のスクランブリングシーケンスを生成することと、
前記2度目の前記スクランブリングと関連付けられた前記受信されたLLR内の第1の影響を、前記第1のスクランブリングシーケンスに基づいて除去することと、
前記1度目の前記スクランブリングと関連付けられた前記受信されたLLR内の第2の影響を、前記第2のコードワードに基づいて除去することと、
前記受信されたLLR内の前記第1の影響および前記第2の影響が除去された後、前記現在の送信の前記受信されたLLRを前の送信のLLRと合成することと、
前記現在の送信の前記合成されたLLRおよび前記前の送信の前記LLRに少なくとも部分的に基づいて前記第1のコードワードを復号することと
を行わせる命令を含む、非一時的コンピュータ可読記録媒体。
【請求項３５】
前記命令が、前記少なくとも1つのプロセッサに、前記選択的に設定された複数のペイロードマスクビットを使用して前記受信されたLLR内のペイロードマスクビットと関連付けられた影響を除去することによって前記第2の影響を除去させる、請求項34に記載の非一時的コンピュータ可読記録媒体。
【請求項３６】
前記命令が、前記少なくとも1つのプロセッサに、セルIDに基づいて初期シードを有するGoldシーケンス生成器を使用して前記第1のスクランブリングシーケンスを生成することによって前記第1のスクランブリングシーケンスを生成させる、請求項34に記載の非一時的コンピュータ可読記録媒体。
【請求項３７】
前記命令が、前記少なくとも1つのプロセッサに、
第2のスクランブリングシーケンスを生成することと、
前記第2のペイロードを符号化する前に前記第2のペイロードをスクランブルするために前記第2のスクランブリングシーケンスを使用することと
によってさらに、前記第2のコードワードを形成するために前記第2のペイロードを符号化させる、請求項34に記載の非一時的コンピュータ可読記録媒体。
【請求項３８】
前記第2のスクランブリングシーケンスが、セルIDに基づいて初期シードを有するGoldシーケンス生成器を使用して生成される、請求項37に記載の非一時的コンピュータ可読記録媒体。
【請求項３９】
前記第2のペイロード内の前記複数のペイロードマスクビットが、前記第2のペイロード内のビットインデックスS9〜S3、S2、S1、S0、C0およびb5〜b3に対応する、請求項37に記載の非一時的コンピュータ可読記録媒体。
【請求項４０】
前記第2のペイロード内のビットインデックスS1、S2、C0、b3、b4およびb5に対応するマスクビットが、前記第2のペイロードをスクランブルするときにスクランブルされない、請求項39に記載の非一時的コンピュータ可読記録媒体。
【請求項４１】
前記命令が、前記少なくとも1つのプロセッサに、
前記第2のペイロードに基づいて巡回冗長検査(CRC)を生成することと、
前記第2のペイロード内に前記CRCを含めることと
によってさらに、前記第2のコードワードを形成するために前記第2のペイロードを符号化させる、請求項37に記載の非一時的コンピュータ可読記録媒体。
【請求項４２】
前記第1のペイロードおよび前記第2のペイロードが、Polar符号を使用して符号化される、請求項34に記載の非一時的コンピュータ可読記録媒体。
【請求項４３】
前記命令が、前記少なくとも1つのプロセッサに、前記第2のペイロード内の前記複数のペイロードマスクビット内に含まれない残りの数のビットをゼロに設定することによって前記第2のペイロードを生成させる、請求項34に記載の非一時的コンピュータ可読記録媒体。
【請求項４４】
前記少なくとも1つのプロセッサに、
前記第1のコードワードと関連付けられた巡回冗長検査(CRC)を検査することと、
前記第1のコードワードと関連付けられた前記CRCが合格しない場合、前記第1のコードワードと関連付けられた前記CRCが合格するまで、前記第2のペイロードの生成と前記第2のペイロード内の第2の複数のペイロードマスクビットを前記第2のペイロードの前の生成と異なる値に設定することとを反復することと
を行わせる命令をさらに含む、請求項34に記載の非一時的コンピュータ可読記録媒体。
【発明の詳細な説明】
【技術分野】
【０００１】
米国特許法第119条に基づく優先権の主張
本出願は、2018年2月14日に出願された米国仮特許出願第62/630,679号の優先権および利益を主張する2019年2月5日に出願された米国出願第16/268,186号の優先権を主張するものであり、両方ともその内容全体が参照により本明細書に組み込まれる。
【０００２】
本開示のいくつかの態様は、一般にワイヤレス通信に関し、より詳細には、スクランブルされたペイロードの判定メトリックを合成するための方法および装置に関する。
【背景技術】
【０００３】
ワイヤレス通信システムは、電話、ビデオ、データ、メッセージング、およびブロードキャストなどの様々な電気通信サービスを提供するために広く展開されている。一般のワイヤレス通信システムは、利用可能なシステムリソース(たとえば、帯域幅、送信電力)を共有することによって複数のユーザとの通信をサポートすることが可能な多元接続技術を採用してもよい。そのような多元接続技術の例は、ロングタームエボリューション(LTE)システム、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
いくつかの例では、ワイヤレス多元接続通信システムは、ユーザ機器(UE)としても知られている複数の通信デバイスのための通信を各々が同時にサポートする、いくつかの基地局を含んでもよい。LTEまたはLTE-Aネットワークでは、1つまたは複数の基地局のセットがeノードB(eNB)を定義してもよい。他の例では(たとえば、次世代または5Gネットワークでは)、ワイヤレス多元接続通信システムは、いくつかの集約ユニット(CU)(たとえば、中央ノード(CN)、アクセスノードコントローラ(ANC)など)と通信するいくつかの分散ユニット(DU)(たとえば、エッジユニット(EU)、エッジノード(EN)、無線ヘッド(RH)、スマート無線ヘッド(SRH)、送信受信ポイント(TRP)など)を含んでもよく、集約ユニットと通信する1つまたは複数の分散ユニットのセットがアクセスノード(たとえば、ニューラジオ基地局(NR BS:new radio base station)、ニューラジオノードB(NR NB:new radio node-B)、ネットワークノード、5G NB、gNBなど)を定義してもよい。基地局またはDUは、(たとえば、基地局から、またはUEへの送信のための)ダウンリンクチャネルおよび(たとえば、UEから基地局または分散ユニットへの送信のための)アップリンクチャネル上でUEのセットと通信してもよい。
【０００５】
これらの多元接続技術は、異なるワイヤレスデバイスが都市、国家、地域、さらには地球規模で通信することを可能にする共通プロトコルを提供するために、様々な電気通信規格において採用されている。新興の電気通信規格の一例は、ニューラジオ(NR)、たとえば5G無線アクセスである。5G NRは、第3世代パートナーシッププロジェクト(3GPP)によって公表されたLTEモバイル規格に対する拡張のセットである。それは、スペクトル効率を改善し、コストを削減し、サービスを改善し、新しいスペクトルを利用し、またダウンリンク(DL)およびアップリンク(UL)上でOFDMAをサイクリックプレフィックス(CP)とともに使用する他のオープン規格とよりうまく統合することによって、モバイルブロードバンドインターネットアクセスをよりうまくサポートし、ならびにビームフォーミング、多入力多出力(MIMO)アンテナ技術、およびキャリアアグリゲーションをサポートするように設計されている。
【０００６】
加えて、5G NRは、データの送信および受信を改善する新しい符号化方式および復号方式を導入することが期待される。たとえば、Polar符号は、NRなどの次世代ワイヤレスシステムにおける誤り訂正に対する候補として現在検討されている。Polar符号は、シャノン容量を(無限大に近づくコードサイズNに対して)漸近的に達成することが証明された、コーディング理論における比較的新しいブレークスルーである。しかしながら、Polar符号は大きなN値にはうまく機能するが、より低いN値の場合、Polar符号には、最小距離が不十分であるという欠点があり、これは、結合されたコードが優れた最小距離を有するように、Polar内部コード(polar inner code)の上部でCRCまたはパリティチェックなどの優れた最小距離を有する単純な外部コードを活用する逐次消去リスト(SCL:successive cancellation list)復号などの技法の開発につながる。
【０００７】
しかしながら、モバイルブロードバンドアクセスに対する需要が増大し続けるにつれて、NRに対するPolar符号の復号性能における改善など、5G NR技術におけるさらなる改善が必要である。好ましくは、これらの改善は、他の多元接続技術、およびこれらの技術を用いる電気通信規格に適用可能であるべきである。
【発明の概要】
【課題を解決するための手段】
【０００８】
いくつかの実施形態の簡潔な要約
以下は、説明する技術の基本的理解を与えるために本開示のいくつかの態様を要約する。この概要は、本開示のすべての企図される特徴の広範な概要ではなく、本開示のすべての態様の主要または重要な要素を特定することを意図するものでもなく、本開示のいずれかまたはすべての態様の範囲を定めることを意図するものでもない。その唯一の目的は、後で提示されるより詳細な説明の前置きとして、本開示の1つまたは複数の態様のいくつかの概念を要約の形態で提示することである。
【０００９】
本開示のいくつかの態様は、ネットワーク内のワイヤレス通信のための方法を提供する。方法は、一般に、第1のペイロードのビットに対応する第1のコードワードの対数尤度比(LLR)を現在の送信内で受信するステップであって、第1のペイロードのビットは第1のコードワードを形成するために符号化される前に1度目のスクランブルが施され、第1のコードワードのビットは第1のコードワードの符号化の後で送信の前にさらに2度目のスクランブルが施される、ステップと、現在の送信の受信に応答して第2のペイロードを生成するステップであって、第2のペイロードを生成するステップは第2のペイロード内の複数のペイロードマスクビットを選択的に設定するステップを含む、ステップと、第2のコードワードを形成するために第2のペイロードを符号化するステップと、第1のスクランブリングシーケンスを生成するステップと、2度目のスクランブリングと関連付けられた受信されたLLR内の第1の影響を第1のスクランブリングシーケンスに基づいて除去するステップと、1度目のスクランブリングと関連付けられた受信されたLLR内の第2の影響を第2のコードワードに基づいて除去するステップと、受信されたLLR内の第1の影響および第2の影響が除去された後に、現在の送信の受信されたLLRを前の送信のLLRと合成するステップと、現在の送信の合成されたLLRおよび前の送信のLLRに少なくとも部分的に基づいて第1のコードワードを復号するステップとを含む。
【００１０】
本開示のいくつかの態様は、ネットワーク内のワイヤレス通信のための装置を提供する。装置は、一般に、第1のペイロードのビットに対応する第1のコードワードの対数尤度比(LLR)を現在の送信内で受信することであって、第1のペイロードのビットは第1のコードワードを形成するために符号化される前に1度目のスクランブルが施され、第1のコードワードのビットは第1のコードワードの符号化の後で送信の前にさらに2度目のスクランブルが施される、ことと、現在の送信の受信に応答して第2のペイロードを生成することであって、第2のペイロードを生成することは第2のペイロード内の複数のペイロードマスクビットを選択的に設定することを含む、ことと、第2のコードワードを形成するために第2のペイロードを符号化することと、第1のスクランブリングシーケンスを生成することと、2度目のスクランブリングと関連付けられた受信されたLLR内の第1の影響を第1のスクランブリングシーケンスに基づいて除去することと、1度目のスクランブリングと関連付けられた受信されたLLR内の第2の影響を第2のコードワードに基づいて除去することと、受信されたLLR内の第1の影響および第2の影響が除去された後に、現在の送信の受信されたLLRを前の送信のLLRと合成することと、現在の送信の合成されたLLRおよび前の送信のLLRに少なくとも部分的に基づいて第1のコードワードを復号することとを行うように構成された少なくとも1つのプロセッサを含む。装置はまた、概して、少なくとも1つのプロセッサと結合されたメモリを含む。
【００１１】
本開示のいくつかの態様は、ネットワーク内のワイヤレス通信のための装置を提供する。装置は、一般に、第1のペイロードのビットに対応する第1のコードワードの対数尤度比(LLR)を現在の送信内で受信するための手段であって、第1のペイロードのビットは第1のコードワードを形成するために符号化される前に1度目のスクランブルが施され、第1のコードワードのビットは第1のコードワードの符号化の後で送信の前にさらに2度目のスクランブルが施される、手段と、現在の送信の受信に応答して第2のペイロードを生成するための手段であって、第2のペイロードを生成するための手段は第2のペイロード内の複数のペイロードマスクビットを選択的に設定するための手段を含む、手段と、第2のコードワードを形成するために第2のペイロードを符号化するための手段と、第1のスクランブリングシーケンスを生成するための手段と、2度目のスクランブリングと関連付けられた受信されたLLR内の第1の影響を第1のスクランブリングシーケンスに基づいて除去するための手段と、1度目のスクランブリングと関連付けられた受信されたLLR内の第2の影響を第2のコードワードに基づいて除去するための手段と、受信されたLLR内の第1の影響および第2の影響が除去された後に、現在の送信の受信されたLLRを前の送信のLLRと合成するための手段と、現在の送信の合成されたLLRおよび前の送信のLLRに少なくとも部分的に基づいて第1のコードワードを復号するための手段とを含む。
【００１２】
本開示のいくつかの態様は、ネットワーク内のワイヤレス通信のための非一時的コンピュータ可読媒体を提供する。非一時的コンピュータ可読媒体は、一般に、命令を含み、命令は、少なくとも1つのプロセッサによって実行されたとき、少なくとも1つのプロセッサに、第1のペイロードのビットに対応する第1のコードワードの対数尤度比(LLR)を現在の送信内で受信することであって、第1のペイロードのビットは第1のコードワードを形成するために符号化される前に1度目のスクランブルが施され、第1のコードワードのビットは第1のコードワードの符号化の後で送信の前にさらに2度目のスクランブルが施される、ことと、現在の送信の受信に応答して第2のペイロードを生成することであって、第2のペイロードを生成することは第2のペイロード内の複数のペイロードマスクビットを選択的に設定することを含む、ことと、第2のコードワードを形成するために第2のペイロードを符号化することと、第1のスクランブリングシーケンスを生成することと、2度目のスクランブリングと関連付けられた受信されたLLR内の第1の影響を第1のスクランブリングシーケンスに基づいて除去することと、1度目のスクランブリングと関連付けられた受信されたLLR内の第2の影響を第2のコードワードに基づいて除去することと、受信されたLLR内の第1の影響および第2の影響が除去された後に、現在の送信の受信されたLLRを前の送信のLLRと合成することと、現在の送信の合成されたLLRおよび前の送信のLLRに少なくとも部分的に基づいて第1のコードワードを復号することとを行わせる。
【００１３】
技法は、方法、装置、およびコンピュータプログラム製品の中で具現化され得る。添付の図とともに本発明の特定の例示的な実施形態の以下の説明を検討すれば、本発明の他の態様、特徴、および実施形態が当業者に明らかとなろう。本発明の特徴は、以下のいくつかの実施形態および図に対して論じられることがあるが、本発明のすべての実施形態は、本明細書で論じられる有利な特徴のうちの1つまたは複数を含むことができる。言い換えれば、1つまたは複数の実施形態がいくつかの有利な特徴を有するものとして論じられることがあるが、そのような特徴のうちの1つまたは複数はまた、本明細書で論じられる本発明の様々な実施形態に従って使用され得る。同様に、例示的な実施形態が、デバイス実施形態、システム実施形態、または方法実施形態として以下で論じられることがあるが、そのような例示的な実施形態が、様々なデバイス、システム、および方法において実装され得ることを理解されたい。
【００１４】
本開示の上記の特徴が詳細に理解されてもよいように、上記で簡単に要約したより具体的な説明が、態様を参照することによって行われることがあり、態様のうちのいくつかは添付の図面に示される。しかしながら、本説明は他の等しく効果的な態様に通じる場合があるので、添付の図面が、本開示のいくつかの典型的な態様のみを示し、したがって本開示の範囲を限定するものとみなされるべきではないことに留意されたい。
【図面の簡単な説明】
【００１５】
【図１】本開示のいくつかの態様による、例示的な電気通信システムを概念的に示すブロック図である。
【図２】本開示のいくつかの態様による、分散型RANの例示的な論理アーキテクチャを示すブロック図である。
【図３】本開示のいくつかの態様による、分散型RANの例示的な物理アーキテクチャを示す図である。
【図４】本開示のいくつかの態様による、例示的なBSおよびユーザ機器(UE)の設計を概念的に示すブロック図である。
【図５】本開示のいくつかの態様による、通信プロトコルスタックを実装するための例を示す図である。
【図６】本開示のいくつかの態様による、例示的なワイヤレスデバイスのブロック図である。
【図７】本開示のいくつかの態様による、エンコーダを示す簡素化ブロック図である。
【図８】本開示のいくつかの態様による、デコーダを示す簡素化ブロック図である。
【図９】本開示のいくつかの態様による、DL中心のサブフレームの一例を示す図である。
【図１０】本開示のいくつかの態様による、UL中心のサブフレームの一例を示す図である。
【図１１】本開示のいくつかの態様による、スクランブルされたペイロードの判定メトリックを合成するための例示的な動作を示す図である。
【図１２】本開示のいくつかの態様による、スクランブルされたペイロードの判定メトリックを合成するための技法を示すブロック図である。
【発明を実施するための形態】
【００１６】
理解を容易にするために、可能な場合、図に共通する同一の要素を示すために、同一の参照番号が使用されている。特定の記載なしに、一実施形態において開示する要素が他の実施形態において有利に利用されてもよいことが企図される。
【００１７】
本開示のいくつかの態様は、一般に、5Gワイヤレス通信システム内でスクランブルされたペイロードの複数の判定メトリックを合成するための技法に関する。たとえば、場合によっては、スクランブルされたペイロードの判定メトリックの合成は、一般に、符号化の前と後の両方でスクランブルされた第1のペイロードを受信機において受信することと、選択的に設定されたペイロードマスクビットを有する第2のペイロードを受信機において生成することと、第1のペイロードをデスクランブルするために第2のペイロード内の選択的に設定されたペイロードマスクビットを使用することとを伴ってよい。
【００１８】
NRは、拡張モバイルブロードバンド(eMBB:Enhanced mobile broadband)ターゲットの広い帯域幅(たとえば、80MHzを越える)、ミリ波(mmW:millimeter wave)ターゲットの高いキャリア周波数(たとえば、60GHz)、マッシブMTC(mMTC)ターゲットの後方互換性のないMTC技法、および/またはミッションクリティカルターゲットの超高信頼低レイテンシ通信(URLLC:ultra reliable low latency communication)などの様々なワイヤレス通信サービスをサポートしてもよい。これらのサービスは、レイテンシ要件および信頼性要件を含んでもよい。これらのサービスはまた、それぞれのサービス品質(QoS)要件を満たすための異なる送信時間間隔(TTI)を有することがある。加えて、これらのサービスは、同じサブフレームにおいて共存してもよい。
【００１９】
本開示の態様は、一般にワイヤレス通信に関し、より詳細には、スクランブルされたペイロードの判定メトリックを合成するための方法および装置に関する。たとえば、5Gでは、ペイロードは、Polar符号化の前と後の両方でスクランブルされてよく、したがって、復号の前に複数の送信上でスクランブルされたペイロードを合成することは、4G LTEにおいて使用されるものと異なる手法を必要とする。したがって、本開示の態様は、受信デバイスが、第1のペイロードに対応するLLRの現在の送信を受信するとき、受信デバイスは、複数のペイロードマスクビットを選択的に設定することによって第2のペイロードを生成する技法を提案する。態様によれば、これらの複数の選択的に設定されたペイロードマスクビットは、第1のペイロードが符号化される前に発生するスクランブリングの影響を除去する(たとえば、デスクランブルする)ために使用されてよい。
【００２０】
例示的なワイヤレス通信システム
本明細書で説明する技法は、CDMA、TDMA、FDMA、OFDMA、SC-FDMA、および他のネットワークなどの様々なワイヤレス通信ネットワークに使用されてもよい。「ネットワーク」および「システム」という用語は、しばしば互換的に使用される。CDMAネットワークは、ユニバーサル地上波無線アクセス(UTRA)、cdma2000などの無線技術を実装してもよい。UTRAは、広帯域CDMA(WCDMA(登録商標))、時分割同期CDMA(TD-SCDMA)、およびCDMAの他の変形を含む。cdma2000は、IS-2000規格、IS-95規格、およびIS-856規格を対象とする。TDMAネットワークは、モバイル通信用グローバルシステム(GSM(登録商標))などの無線技術を実装してもよい。OFDMAネットワークは、発展型UTRA(E-UTRA)、ウルトラモバイルブロードバンド(UMB)、IEEE 802.11(Wi-Fi)、IEEE 802.16(WiMAX)、IEEE 802.20、Flash-OFDMA(登録商標)などの無線技術を実装してもよい。UTRAおよびE-UTRAは、ユニバーサルモバイルテレコミュニケーションシステム(UMTS)の一部である。3GPPロングタームエボリューション(LTE)およびLTEアドバンスト(LTE-A)は、周波数分割複信(FDD)と時分割複信(TDD)との両方において、ダウンリンク上でOFDMAを、またアップリンク上でSC-FDMAを採用する、E-UTRAを使用するUMTSの新たなリリースである。UTRA、E-UTRA、UMTS、LTE、LTE-AおよびGSMは、「第3世代パートナーシッププロジェクト」(3GPP)と称する団体による文書に記載されている。cdma2000およびUMBは、「第3世代パートナーシッププロジェクト2」(3GPP2)と称する団体の文書に記載されている。本明細書で説明する技法は、ワイヤレスネットワークおよび無線技術のために使用されてもよい。加えて、本明細書で提示する技法は、ファイバーネットワーク、有線接続の「銅」ネットワークなど、様々な他の非ワイヤレス通信ネットワークにおいて、またはデジタル保存もしくは圧縮において使用されてもよい。言い換えれば、本明細書で提示する技法は、エンコーダを含む任意のシステム内で使用されてもよい。
【００２１】
図1は、本開示の態様が、たとえば、スクランブルされたペイロードの判定メトリックを合成するために実行されてもよい、ニューラジオ(NR)または5Gネットワークなどの例示的なワイヤレスネットワーク100を示す。場合によっては、ネットワーク100は、ファイバーネットワーク、有線接続の「銅」ネットワークなどであってもよい。
【００２２】
図1に示すように、ワイヤレスネットワーク100は、いくつかのBS110と他のネットワークエンティティとを含んでもよい。BSは、UEと通信する局であってもよい。各BS110は、特定の地理的エリアに通信カバレージを提供してもよい。3GPPでは、「セル」という用語は、この用語が使用される状況に応じて、このカバレージエリアにサービスしているノードBおよび/またはノードBサブシステムのカバレージエリアを指すことがある。NRシステムでは、「セル」およびeNB、ノードB、5G NB、AP、NR BS、BS、またはTRPなどの用語は交換可能であってもよい。いくつかの例では、セルは、必ずしも静止しているとは限らないことがあり、セルの地理的エリアは、モバイル基地局のロケーションに従って移動してもよい。いくつかの例では、基地局は、任意の適切なトランスポートネットワークを使用して、直接物理接続、仮想ネットワークなどの様々なタイプのバックホールインターフェースを通じて、ワイヤレスネットワーク100内で互いに、および/または1つもしくは複数の他の基地局もしくはネットワークノード(図示せず)に相互接続されてもよい。
【００２３】
一般に、任意の数のワイヤレスネットワークが、所与の地理的エリアにおいて展開されてもよい。各ワイヤレスネットワークは、特定の無線アクセス技術(RAT)をサポートしてもよく、1つまたは複数の周波数で動作してもよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてもよい。場合によっては、マルチスライスネットワークアーキテクチャを採用する、NRまたは5G RATネットワークが展開されてよい。
【００２４】
BSは、マクロセル、ピコセル、フェムトセル、および/または他のタイプのセルのための通信カバレージを提供してもよい。マクロセルは、比較的大きい地理的エリア(たとえば、半径数キロメートル)をカバーすることができ、サービスに加入しているUEによる無制限アクセスを可能にしてもよい。ピコセルは、比較的小さい地理的エリアをカバーすることができ、サービスに加入しているUEによる無制限アクセスを可能にしてもよい。フェムトセルは、比較的小さい地理的エリア(たとえば、自宅)をカバーすることができ、フェムトセルとの関連を有するUE(たとえば、限定加入者グループ(CSG)内のUE、自宅内のユーザのためのUEなど)による制限付きアクセスを可能にしてもよい。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS110a、110bおよび110cは、それぞれマクロセル102a、102bおよび102cのためのマクロBSであってもよい。BS110xは、ピコセル102xのためのピコBSであってもよい。BS110yおよび110zは、それぞれフェムトセル102yおよび102zのためのフェムトBSであってもよい。BSは1つまたは複数(たとえば、3つ)のセルをサポートしてもよい。
【００２５】
ワイヤレスネットワーク100は、中継局も含んでもよい。中継局は、アップストリーム局(たとえばBSまたはUE)からデータおよび/または他の情報の送信を受信し、ダウンストリーム局(たとえば、UEまたBS)にデータおよび/または他の情報の送信を送る局である。また、中継局は、他のUEのための送信を中継するUEであってもよい。図1に示す例では、中継局110rは、BS110aとUE120rとの間の通信を容易にするために、BS110aおよびUE120rと通信することができる。中継局はまた、リレーBS、リレーなどと呼ばれることもある。
【００２６】
ワイヤレスネットワーク100は、異なるタイプのBS、たとえばマクロBS、ピコBS、フェムトBS、リレーなどを含む異種ネットワークとすることができる。これらの異なるタイプのBSは、異なる送信電力レベル、異なるカバレージエリア、およびワイヤレスネットワーク100中の干渉に対する異なる影響を有してもよい。たとえば、マクロBSは高い送信電力レベル(たとえば、20ワット)を有することがあり、一方でピコBS、フェムトBS、およびリレーはより低い送信電力レベル(たとえば、1ワット)を有することがある。
【００２７】
ワイヤレスネットワーク100は、同期動作または非同期動作をサポートしてもよい。同期動作の場合、BSは、同様のフレームタイミングを有することができ、異なるBSからの送信は、時間的にほぼ整合してもよい。非同期動作の場合、BSは、異なるフレームタイミングを有する場合があり、異なるBSからの送信は、時間的に整合していない場合がある。本明細書で説明する技法は、同期動作と非同期動作との両方に使用されてもよい。
【００２８】
ネットワークコントローラ130は、BSのセットに結合し、これらのBSのための調整および制御を行ってもよい。ネットワークコントローラ130は、バックホールを介してBS110と通信してもよい。BS110はまた、たとえば直接または間接的にワイヤレスバックホールもしくは有線バックホールを介して互いに通信してもよい。
【００２９】
UE120(たとえば、120x、120yなど)は、ワイヤレスネットワーク100の全体にわたって分散されてもよく、各UEは静止であってもよく、またはモバイルであってもよい。UEは、移動局、端末、アクセス端末、加入者ユニット、局、顧客構内設備(CPE:Customer Premises Equipment)、セルラーフォン、スマートフォン、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは医療機器、生体センサ/デバイス、スマートウォッチ、スマート衣料、スマートグラス、スマートリストバンド、スマートジュエリー(たとえば、スマートリング、スマートブレスレットなど)などのウェアラブルデバイス、エンターテイメントデバイス(たとえば、音楽デバイス、ビデオデバイス、衛星無線など)、車両コンポーネントもしくは車両センサ、スマートメータ/センサ、工業生産機器、全地球測位システムデバイス、またはワイヤレス媒体もしくはワイヤード媒体を介して通信するように構成される任意の他の適切なデバイスと呼ばれる場合もある。一部のUEは、発展型デバイスもしくはマシンタイプ通信(MTC)デバイスまたは発展型MTC(eMTC)デバイスとみなされる場合がある。MTC UEおよびeMTC UEは、BS、別のデバイス(たとえば、リモートデバイス)、または何らかの他のエンティティと通信することができる、たとえばロボット、ドローン、リモートデバイス、センサ、メータ、モニタ、ロケーションタグなどを含む。ワイヤレスノードは、たとえばワイヤード通信リンクまたはワイヤレス通信リンクを介して、ネットワーク(たとえば、インターネットもしくはセルラーネットワークなどのワイドエリアネットワーク)のための、またはネットワークへの接続性を提供してもよい。一部のUEは、モノのインターネット(IoT)デバイスとみなされてもよい。
【００３０】
図1において、両矢印を有する実線は、UEとサービングBSとの間の所望の送信を示し、サービングBSは、ダウンリンクおよび/またはアップリンク上でUEにサービスするように指定されたBSである。両矢印を有する破線は、UEとBSとの間の干渉する送信を示す。
【００３１】
特定のワイヤレスネットワーク(たとえば、LTE)は、ダウンリンク上で直交周波数分割多重化(OFDM)を利用し、かつアップリンク上でシングルキャリア周波数分割多重化(SC-FDM)を利用する。OFDMおよびSC-FDMは、一般にトーン、ビンなどとも呼ばれる複数の(K個の)直交サブキャリアにシステム帯域幅を区分する。各サブキャリアは、データで変調されてもよい。一般に、変調シンボルは、OFDMでは周波数領域において送られ、SC-FDMでは時間領域において送られる。隣接するサブキャリア間の間隔は固定される場合があり、サブキャリアの総数(K)は、システム帯域幅に依存する場合がある。たとえば、サブキャリアの間隔は15kHzであってもよく、最小のリソース割振り(「リソースブロック」と呼ばれる)は12個のサブキャリア(または180kHz)であってもよい。その結果、公称FFTサイズは、1.25、2.5、5、10または20メガヘルツ(MHz)のシステム帯域幅に対して、それぞれ128、256、512、1024または2048に等しくなってもよい。システム帯域幅はまた、サブバンドに区分されてもよい。たとえば、サブバンドは、1.08MHz(すなわち、6個のリソースブロック)をカバーすることができ、1.25、2.5、5、10または20MHzのシステム帯域幅に対して、それぞれ1、2、4、8または16個のサブバンドが存在してもよい。
【００３２】
本明細書で説明する例の態様はLTE技術に関連してよいが、本開示の態様は、NR/5Gなどの他のワイヤレス通信システムとともに適用可能であってよい。
【００３３】
5G NRは、アップリンクおよびダウンリンク上でCPを用いてOFDMを利用し、TDDを使用する半二重動作に対するサポートを含んでもよい。100MHzの単一のコンポーネントキャリア帯域幅がサポートされてもよい。NRリソースブロックは、0.1msの持続時間にわたって、サブキャリア帯域幅が75kHzの12個のサブキャリアにまたがってもよい。各無線フレームは、10msの長さを有する50個のハーフフレームで構成されてもよい。結果として、各サブフレームは0.2msの長さを有することができる。各サブフレームは、データ送信用のリンク方向(すなわち、DLまたはUL)を示してもよく、サブフレームごとのリンク方向は、動的に切り替えられてもよい。各サブフレームは、DL/ULデータならびにDL/UL制御データを含んでもよい。NRに関するULサブフレームおよびDLサブフレームは、図6および図7に関して以下でより詳細に説明されるようなものであってもよい。ビームフォーミングがサポートされてもよく、ビーム方向が動的に構成されてもよい。プリコーディングを用いたMIMO送信もサポートされてもよい。DLにおけるMIMO構成は、最大で8個のストリームおよびUEごとに最大で2個のストリームを用いたマルチレイヤDL送信で最大で8個の送信アンテナをサポートしてもよい。UEごとに最大で2個のストリームを用いたマルチレイヤ送信がサポートされてもよい。最大で8個のサービングセルを用いて複数のセルのアグリゲーションがサポートされてもよい。代替として、NRは、OFDMベース以外の異なるエアインターフェースをサポートしてもよい。NRネットワークは、CUおよび/または1つもしくは複数のDUなどのエンティティを含んでもよい。
【００３４】
いくつかの例では、エアインターフェースへのアクセスがスケジュールされてもよく、スケジューリングエンティティ(たとえば、基地局)は、そのサービスエリアまたはセル内のいくつかのまたはすべてのデバイスおよび機器の間で通信のためのリソースを割り振る。本開示内では、以下でさらに説明するように、スケジューリングエンティティは、1つまたは複数の従属エンティティ用のリソースをスケジュールすること、割り当てること、再構成すること、および解放することを担当してもよい。すなわち、スケジュールされた通信に対して、従属エンティティは、スケジューリングエンティティによって割り振られたリソースを利用する。基地局は、スケジューリングエンティティとして機能してもよい唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能してもよい。この例では、UEは、スケジューリングエンティティとして機能しており、他のUEは、ワイヤレス通信のためにUEによってスケジュールされたリソースを利用する。UEは、ピアツーピア(P2P)ネットワーク中および/またはメッシュネットワーク中でスケジューリングエンティティとして機能してもよい。メッシュネットワーク例では、UEは、スケジューリングエンティティと通信することに加えて、場合によっては互いに直接通信してもよい。
【００３５】
したがって、時間-周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信してもよい。
【００３６】
上述のように、RANは、CUおよび1つまたは複数のDUを含んでもよい。NR BS(たとえば、gNB、5GノードB、ノードB、送信受信ポイント(TRP)、アクセスポイント(AP))は、1つまたは複数のBSに対応してもよい。NRセルは、アクセスセル(ACell)またはデータオンリーセル(DCell)として構成されてもよい。たとえば、RAN(たとえば、集約ユニットまたは分散ユニット)は、セルを構成することができる。DCellは、キャリアアグリゲーションまたは二重接続性に使用されるが、初期アクセス、セル選択/再選択、またはハンドオーバに使用されないセルであってもよい。場合によっては、DCellは同期信号を送信しないことがあり、場合によっては、DCellはSSを送信することがある。NR BSは、セルタイプを示すダウンリンク信号をUEに送信してもよい。セルタイプ指示に基づいて、UEはNR BSと通信してもよい。たとえば、UEは、示されたセルタイプに基づいて、セル選択用、アクセス用、ハンドオーバ用、および/または測定用とみなすべきNR BSを決定してもよい。
【００３７】
図2は、図1に示したワイヤレス通信システム内で実装されてもよい分散型無線アクセスネットワーク(RAN)200の例示的な論理アーキテクチャを示す。5Gアクセスノード206は、アクセスノードコントローラ(ANC)202を含んでもよい。ANCは、分散型RAN200の集約ユニット(CU)であってもよい。次世代コアネットワーク(NG-CN:next generation core network)204へのバックホールインターフェースは、ANCにおいて終端してもよい。近隣次世代アクセスノード(NG-AN)へのバックホールインターフェースは、ANCにおいて終端してもよい。ANCは、1つまたは複数のTRP208(BS、NR BS、ノードB、5G NB、AP、gNB、または何らかの他の用語で呼ばれることもある)を含んでもよい。上記で説明したように、TRPは「セル」と互換的に使用されてもよい。
【００３８】
TRP208はDUであってもよい。TRPは、1つのANC(ANC202)に接続されてもよく、または2つ以上のANC(図示せず)に接続されてもよい。たとえば、RAN共有、サービスとしての無線(RaaS:radio as a service)、およびサービス固有ANC配置に対して、TRPは2つ以上のANCに接続されてもよい。TRPは、1つまたは複数のアンテナポートを含んでもよい。TRPは、UEへのトラフィックを個別に(たとえば、動的選択)または一緒に(たとえば、共同送信)サービスするように構成されてもよい。
【００３９】
分散型RAN200のローカルアーキテクチャは、フロントホール定義を示すために使用されてもよい。異なる展開タイプにわたるフロントホール(fronthauling)解決策をサポートするアーキテクチャが定義されてもよい。たとえば、アーキテクチャは、送信ネットワーク能力(たとえば、帯域幅、レイテンシ、および/またはジッタ)に基づいてもよい。
【００４０】
アーキテクチャは、特徴および/または構成要素をLTEと共有してもよい。態様によれば、次世代AN(NG-AN)210は、NRとの二重接続性をサポートしてもよい。NG-ANは、LTEおよびNRに対して共通フロントホールを共有してもよい。
【００４１】
アーキテクチャは、TRP208間の協働を可能にしてもよい。たとえば、協働は、TRP内で事前設定されてもよく、かつ/またはANC202を経由してTRPにわたって事前設定されてもよい。態様によれば、TRP間インターフェースが必要とされない/存在しない場合がある。
【００４２】
態様によれば、アーキテクチャ200内に、分割された論理機能の動的構成が存在する場合がある。図5を参照しながらより詳細に説明するように、無線リソース制御(RRC)レイヤ、パケットデータコンバージェンスプロトコル(PDCP)レイヤ、無線リンク制御(RLC)レイヤ、媒体アクセス制御(MAC)レイヤ、および物理(PHY)レイヤは、DUまたはCU(たとえば、それぞれTRPまたはANC)に適応可能に配置されてもよい。いくつかの態様によれば、BSは、集約ユニット(CU)(たとえば、ANC202)および/または1つもしくは複数の分散ユニット(たとえば、1つもしくは複数のTRP208)を含んでもよい。
【００４３】
図3は、本開示のいくつかの態様による、分散型RAN300の例示的な物理アーキテクチャを示す。集中型コアネットワークユニット(C-CU)302が、コアネットワーク機能をホストしてもよい。C-CUは、央に配置されてもよい。C-CU機能は、ピーク容量に対処しようとして(たとえば、アドバンストワイヤレスサービス(AWS)に)オフロードされてもよい。
【００４４】
集中型RANユニット(C-RU)304が、1つまたは複数のANC機能をホストしてもよい。場合によっては、C-RUは、コアネットワーク機能を局所的にホストしてもよい。C-RUは分散配置を有してもよい。C-RUはネットワークエッジのより近くにあってもよい。
【００４５】
DU306が、1つまたは複数のTRP(エッジノード(EN)、エッジユニット(EU)、無線ヘッド(RH)、スマート無線ヘッド(SRH)など)をホストしてもよい。DUは、無線周波数(RF)機能を備えたネットワークのエッジに位置してもよい。
【００４６】
図4は、本開示の態様を実施するために使用されてもよい、図1に示すBS110およびUE120の例示的な構成要素を示す。上記で説明したように、BSはTRPを含んでもよい。BS110およびUE120の1つまたは複数の構成要素は、本開示の態様を実践するために使用されてもよい。たとえば、UE120のアンテナ452、Tx/Rx222、プロセッサ466、458、464、および/もしくはコントローラ/プロセッサ480、ならびに/またはBS110のアンテナ434、プロセッサ430、420、438、および/もしくはコントローラ/プロセッサ440は、本明細書で説明し、図11を参照しながら示す動作を実行するために使用されてもよい。
【００４７】
態様によれば、制限された接続シナリオの場合、基地局110は図1のマクロBS110cであってもよく、UE120はUE120yであってもよい。基地局110はまた、何らかの他のタイプの基地局であってもよい。基地局110は、アンテナ434a〜434tを備えることができ、UE120は、アンテナ452a〜452rを備えることができる。
【００４８】
基地局110において、送信プロセッサ420は、データソース412からデータを受信し、コントローラ/プロセッサ440から制御情報を受信してもよい。制御情報は、物理ブロードキャストチャネル(PBCH)、物理制御フォーマットインジケータチャネル(PCFICH)、物理ハイブリッドARQインジケータチャネル(PHICH)、物理ダウンリンク制御チャネル(PDCCH)などに関するものであってもよい。データは、物理ダウンリンク共有チャネル(PDSCH)などに関するものであってもよい。プロセッサ420は、データおよび制御情報を処理(たとえば、符号化およびシンボルマッピング)して、それぞれデータシンボルおよび制御シンボルを取得することができる。プロセッサ420はまた、たとえばPSS、SSS、およびセル固有基準信号に関する基準シンボルを生成することもできる。送信(TX)多入力多出力(MIMO)プロセッサ430は、適用可能な場合には、データシンボル、制御シンボル、および/または基準シンボルに対して空間処理(たとえば、プリコーディング)を実行することができ、出力シンボルストリームを変調器(MOD)432a〜432tに提供することができる。各変調器432は、(たとえば、OFDMなどのための)それぞれの出力シンボルストリームを処理して、出力サンプルストリームを取得することができる。各変調器432は、出力サンプルストリームをさらに処理(たとえば、アナログに変換、増幅、フィルタリング、およびアップコンバート)して、ダウンリンク信号を取得することができる。変調器432a〜432tからのダウンリンク信号をそれぞれアンテナ434a〜434tを介して送信してもよい。
【００４９】
UE120において、アンテナ452a〜452rは、基地局110からダウンリンク信号を受信することができ、受信信号をそれぞれ復調器(DEMOD)454a〜454rに提供することができる。各復調器454は、それぞれの受信信号を調整(たとえば、フィルタリング、増幅、ダウンコンバート、およびデジタル化)して、入力サンプルを取得することができる。各復調器454は、(たとえば、OFDMなどのための)入力サンプルをさらに処理して、受信シンボルを取得することができる。MIMO検出器456は、すべての復調器454a〜454rから受信シンボルを取得し、適用可能な場合、受信シンボルに対してMIMO検出を実行し、検出されたシンボルを提供することができる。受信プロセッサ458は、検出されたシンボルを処理(たとえば、復調、デインターリーブ、および復号)し、UE120のための復号されたデータをデータシンク460に提供し、復号された制御情報をコントローラ/プロセッサ480に提供することができる。
【００５０】
アップリンクでは、UE120において、送信プロセッサ464が、データソース462からの(たとえば、物理アップリンク共有チャネル(PUSCH)についての)データ、およびコントローラ/プロセッサ480からの(たとえば、物理アップリンク制御チャネル(PUCCH)についての)制御情報を受信し、処理してもよい。送信プロセッサ464はまた、基準信号のための基準シンボルを生成してもよい。送信プロセッサ464からのシンボルは、適用可能な場合には、TX MIMOプロセッサ466によってプリコーディングされ、(たとえばSC-FDMなどのために)復調器454a〜454rによってさらに処理され、基地局110に送信されてもよい。BS110において、UE120からのアップリンク信号は、アンテナ434によって受信され、変調器432によって処理され、適用可能な場合には、MIMO検出器436によって検出され、受信プロセッサ438によってさらに処理されて、UE120によって送られた復号データおよび制御情報を取得してもよい。受信プロセッサ438は、データシンク439に復号されたデータを提供し、コントローラ/プロセッサ440に復号された制御情報を提供してもよい。
【００５１】
コントローラ/プロセッサ440および480は、それぞれ基地局110およびUE120における動作を指示してもよい。基地局110におけるプロセッサ440ならびに/または他のプロセッサおよびモジュールは、たとえば図6に示す機能的ブロックの実施および/または本明細書で説明する技法に対する他のプロセスを実行または指示してもよい。UE120におけるプロセッサ480ならびに/または他のプロセッサおよびモジュールはまた、たとえば図7に示す機能的ブロックの実施および/または本明細書で説明する技法に対する他のプロセスを実行または指示してもよい。メモリ442および482は、それぞれBS110およびUE120のためのデータおよびプログラムコードを記憶してもよい。スケジューラ444は、ダウンリンクおよび/またはアップリンク上でのデータ送信のためにUEをスケジューリングしてもよい。
【００５２】
図5は、本開示の態様による、通信プロトコルスタックを実装するための例を示す図500を示す。示された通信プロトコルスタックは、5Gシステム(たとえば、アップリンクベースのモビリティをサポートするシステム)内で動作するデバイスによって実装されてもよい。図500は、無線リソース制御(RRC)レイヤ510、パケットデータコンバージェンスプロトコル(PDCP)レイヤ515、無線リンク制御(RLC)レイヤ520、媒体アクセス制御(MAC)レイヤ525、および物理(PHY)レイヤ530を含む通信プロトコルスタックを示す。様々な例では、プロトコルスタックのレイヤは、ソフトウェアの個別のモジュール、プロセッサもしくはASICの部分、通信リンクによって接続された非コロケートデバイスの部分、またはそれらの様々な組合せとして実装されてもよい。コロケート実装形態および非コロケート実装形態は、たとえばネットワークアクセスデバイス(たとえば、AN、CU、および/またはDU)またはUEのためのプロトコルスタックの中で使用されてもよい。
【００５３】
第1のオプション505-aは、プロトコルスタックの実装が集中ネットワークアクセスデバイス(たとえば、図2のANC202)と分散ネットワークアクセスデバイス(たとえば、図2のDU208)との間で分割される、プロトコルスタックの分割実装形態を示す。第1のオプション505-aでは、RRCレイヤ510およびPDCPレイヤ515は、集約ユニットによって実装されてもよく、RLCレイヤ520、MACレイヤ525、およびPHYレイヤ530は、DUによって実装されてもよい。様々な例では、CUおよびDUは、コロケートされてもよく、またはコロケートされなくてもよい。第1のオプション505-aは、マクロセル配置、マイクロセル配置、またはピコセル配置において有用であってもよい。
【００５４】
第2のオプション505-bは、プロトコルスタックが単一のネットワークアクセスデバイス(たとえば、アクセスノード(AN)、ニューラジオ基地局(NB BS)、ニューラジオノードB(NR NB)、ネットワークノード(NN)など)の中で実装されるプロトコルスタックの統合実装形態を示す。第2のオプションでは、RRCレイヤ510、PDCPレイヤ515、RLCレイヤ520、MACレイヤ525、およびPHYレイヤ530は各々、ANによって実装されてもよい。第2のオプション505-bは、フェムトセル配置において有用であってもよい。
【００５５】
ネットワークアクセスデバイスがプロトコルスタックの一部を実装するのか全部を実装するのかにかかわらず、UEは、全プロトコルスタック(たとえば、RRCレイヤ510、PDCPレイヤ515、RLCレイヤ520、MACレイヤ525、およびPHYレイヤ530)を実装してもよい。
【００５６】
図6は、図1のワイヤレス通信システム1内で利用されてもよいワイヤレス通信デバイス602において使用されてもよい様々な構成要素を示す。ワイヤレス通信デバイス602は、たとえば、スクランブルされたペイロードの判定メトリックを合成するために、本明細書で説明する様々な方法を実装するように構成されてよいデバイスの一例である。ワイヤレス通信デバイス602は、図1のBS110またはユーザ機器120のうちの任意のものであってもよい。
【００５７】
ワイヤレス通信デバイス602は、ワイヤレス通信デバイス602の動作を制御するプロセッサ604を含んでもよい。プロセッサ604は、中央処理装置(CPU)とも呼ばれることがある。メモリ606は、読取り専用メモリ(ROM)とランダムアクセスメモリ(RAM)との両方を含むことがあり、命令およびデータをプロセッサ604に提供する。メモリ606の一部分はまた、不揮発性ランダムアクセスメモリ(NVRAM)を含んでよい。プロセッサ604は、一般にメモリ606内に記憶されたプログラム命令に基づいて、論理演算および算術演算を実行する。メモリ606中の命令は、本明細書で説明する方法を実装するように実行可能であってもよい。
【００５８】
ワイヤレス通信デバイス602はまた、ワイヤレス通信デバイス602と遠隔地との間のデータの送信および受信を可能にするためのトランスミッタ610およびレシーバ612を含んでもよいハウジング608を含んでよい。トランスミッタ610およびレシーバ612は、トランシーバ614に組み合わせられてもよい。単一または複数の送信アンテナ616が、ハウジング608に取り付けられてよく、トランシーバ614に電気的に結合されてもよい。ワイヤレス通信デバイス602はまた、複数のトランスミッタと、複数のレシーバと、複数のトランシーバとを含んでもよい(図示せず)。
【００５９】
ワイヤレス通信デバイス602はまた、トランシーバ614によって受信される信号のレベルを検出および定量化しようとして使用されてもよい信号検出器618を含んでもよい。信号検出器618は、そのような信号を総エネルギー、シンボルごとのサブキャリア当たりのエネルギー、電力スペクトル密度、および他の信号として検出してもよい。ワイヤレス通信デバイス602はまた、信号を処理する際に使用するためのデジタル信号プロセッサ(DSP)620を含んでもよい。
【００６０】
加えて、ワイヤレス通信デバイス602は、送信するための信号の符号化に使用するためのエンコーダ622も含んでもよい。場合によっては、エンコーダ622は、たとえば、図11を参照しながら本明細書で提示する動作を実行するように構成されてもよい。エンコーダ622は単一のエンコーダとして示されるが、エンコーダ622は、本明細書で提示する技法を実行するように構成された1つまたは複数のエンコーダ(たとえば、アウターコードエンコーダおよびインナーコードエンコーダ)を含んでもよいことを理解されたい。
【００６１】
さらに、ワイヤレス通信デバイス602は、受信された信号の復号に使用するためのデコーダ624を含んでもよい。場合によっては、デコーダ624は、たとえば、図11を参照しながら本明細書で提示する動作を実行するように構成されてもよい。デコーダ624は単一のデコーダとして示されるが、デコーダ624は、本明細書で提示する技法を実行するように構成された1つまたは複数のデコーダ(たとえば、アウターコードデコーダおよびインナーコードデコーダ)を含んでもよいことを理解されたい。
【００６２】
ワイヤレス通信デバイス602の様々な構成要素は、バスシステム626によって一緒に結合されてもよく、バスシステム626は、データバスに加えて、電力バスと、制御信号バスと、ステータス信号バスとを含むことができる。プロセッサ604は、以下で説明する本開示の態様に従って、コネクションレスアクセスを実行するために、メモリ606内に記憶された命令にアクセスするように構成されてもよい。
【００６３】
図7は、本開示のいくつかの態様による、エンコーダを示す簡素化ブロック図である。図7は、(たとえば、以下で説明するPolar符号を使用して)ワイヤレス送信のための符号化メッセージを提供するように構成されてもよい無線周波数(RF)モデム704の一部分を示す。一例では、基地局(たとえば、BS110)(または逆方向経路上のUE120)内のエンコーダ706(たとえば、Polarエンコーダ)は、送信するためのメッセージ702を受信する。メッセージ702は、受信デバイス向けのデータおよび/もしくは符号化音声または他のコンテンツを含んでもよい。エンコーダ706は、一般にBS110または別のネットワークエンティティによって定義された構成に基づいて選択された適切な変調およびコーディング方式(MCS)を使用してメッセージを符号化する。場合によっては、エンコーダ706は、たとえば、図11を参照しながら本明細書で提示する技法を使用して、メッセージ702を符号化するように構成されてもよい。次いで、符号化ビットストリーム708(たとえば、符号化されたメッセージ702を表す)は、アンテナ718を通して送信するためのRF信号716を生成するためにTxチェーン714によって変調され、増幅され、さもなければ処理される、Txシンボル712のシーケンスを生成するマッパ710に提供されてもよい。
【００６４】
図8は、本開示のいくつかの態様による、デコーダを示す簡素化ブロック図である。図8は、符号化メッセージ(たとえば、本明細書で提示する技法を使用して符号化されたメッセージ)を含むワイヤレスに送信される信号を受信および復号するように構成されてもよいRFモデム810の一部を示す。様々な例では、信号を受信するモデム810は、アクセス端末に、基地局に、または説明する機能を実行するための任意の他の適切な装置もしくは手段に存在してもよい。アンテナ802は、アクセス端末(たとえば、UE120)にRF信号716(すなわち、図4で生成されるRF信号)を供給する。Rxチェーン806は、RF信号716を処理および復調し、シンボル808のシーケンスをデマッパ812に提供してもよく、デマッパ812は、符号化メッセージに対応する対数尤度比(LLR)814として表されることが多い、先験的確率のシーケンスを生成する。
【００６５】
次いで、デコーダ816を使用して、(たとえば、本明細書で説明するように)コーディング方式を使用して符号化されているビットストリームからM個のビット情報ストリングを復号することができる。デコーダ816は、Polarデコーダ、LDPCデコーダ、ビタビデコーダ、代数デコーダ、バタフライデコーダ、または別の適切なデコーダを備えてもよい。一例では、Polarデコーダは、逐次消去(Succesive Cancellation)(SC)または逐次消去リスト(SCL)復号アルゴリズムを採用する。SC復号アルゴリズムは、本質的に、ビットストリーム814(たとえば、LLRのシーケンス)を(たとえば、復号が成功するときに)メッセージ702に対応するメッセージ818に変換するために、復号木の再帰的深さ優先トラバース(recursive depth-first traversal)を実行することによって動作する。
【００６６】
より具体的には、各コードワードが長さNであり、ここでNはN=2nのように整数の2のべき乗でなければならず、かつ、エンコーダ706(たとえば、Polarエンコーダであってよい)が、K個の情報ビットをN個の符号化ビットに符号化して、これらをM個のビットに対してレートマッチングすると仮定すると、各コードワードに対応するビットストリーム814からのLLRは、最初に、デコーダ816によってMビットからNビットにデレートマッチングされ(de-ratematched)、深さn=log2(N)の二分木(たとえば、復号木と呼ばれる)が構築される。木のルートは、復号されるべきN個の対数尤度比(LLR)の受信されたベクトルに対応し、木のリーフは、復号ビットの各々に対応し、それによりN-K個のリーフはN-K個の凍結ビット(それは凍結値(ゼロ)に復号されるべきである)に対応し、一方で残りのK個のリーフはK個の情報ビットに対応する。ノードの度数dは、復号木の中のリーフの上のその高さを指すものとする。ここでリーフはd=0を有し、木のルートはd=log2(N)を有する。
【００６７】
SC復号では、任意のノードvに対応する2d個のLLRをそのノード(たとえば、復号ノードvと呼ばれる)の2d個のリーフに対応する2d個の復号ビットに変換することは、以下のように復号木の再帰的深さ優先トラバースを介して実行される。たとえば、デコーダ816は、最初にこのノードvに対応する2d個のLLRを使用して、ノードv'の左-子(left child)に対応する2d-1個のLLRを計算してもよい。次いで、デコーダ816は、ノードv'の左-子に対応するサブコードを復号してもよい。次いで、デコーダ816は、左-子に対応する長さ2d-1のコードワードを再符号化してもよい。この部分コードワードは、(左)部分和と呼ばれる。次いで、デコーダ816は、ノードvに対応する2d個のLLRとともにノードv'の左-子からの部分和を使用して、v'の右-子(right child)に対応する2d-1個のLLRを計算してもよい。したがって、デコーダ816は、ノードv'の右-子に対応するサブコードを復号してもよい。加えて、デコーダ816は、右-子に対応する長さ2dのコードワードを再符号化してもよく、この部分コードワードは(右)部分和と呼ばれる。その後、デコーダ816は、左と右の部分和を組み合わせて、vに対応する部分和(コードワード)を入手してもよい。
【００６８】
上記の復号アルゴリズムは、度数d=log2(N)を有する木のルートノードにおけるN個のLLRから開始して、再帰的に実行されてもよい。N-K個の凍結ビットを除去した後に、N個のリーフノードの各々における各(単一の)LLRに硬判定を適用することは、(たとえば、復号が成功したときに)メッセージ702に対応するメッセージ818のK個の情報ビットをもたらす。
【００６９】
場合によっては、CRCなどの外部コードが、(たとえば、N個の符号化ビットを取得するためにPolarエンコーダをK個のビットに適用する前にK'個のペイロードビット(たとえば、メッセージ702のビット)のすべてをK個のビットに符号化するために)エンコーダ706の前に適用された場合、外部コードデコーダ(CRCデコーダなど)は、(たとえば、復号が成功するとき)メッセージ702に対応するメッセージ818のK'個のペイロードビットを取得するためにデコーダ816から出力されたK個の情報ビットに適用される必要がある。
【００７０】
SC復号では、単一のデータリーフノードに対応する単一のビットが一度復号され、すでに復号されたビットのベクトルは、「デコーダ履歴」と呼ばれる。SCL復号では、「最良の」L個の経路のリストが維持され、ここで経路はデコーダ履歴として定義され、「最良の」の概念は、所与のデコーダ履歴に対応する経路メトリックを計算することに基づく。基本的SCLアルゴリズムはSCに類似し、復号木および木トラバースは、上記のSCに対して説明される木トラバースアルゴリズムがすべてL個の経路に対して並列に発生することを除いて、同等である。
【００７１】
SCL復号では、データリーフノードが遭遇するときはいつでも、到来するL個の経路の各々は2つの経路に分割され、2L個の経路がもたらされる。それらの2L個の経路のうちの第1のL個は、SC復号の中で行われるときに、各到来する経路に対応するLLRの符号に従って復号することによって導出され、これらのL個の経路は、それゆえ、SC経路と呼ばれる。残りのL個の経路は、第1のL個の経路のコピーであるが、デコーダ履歴の最終ビットが反転され、それによって、これらの経路は、各到来する経路に対応するLLRの符号の反転に従って復号する。それゆえ、これらのL個の経路は、逆経路(inverted path)と呼ばれる場合がある。L個のSC経路の経路メトリックは不変であるが、逆経路の経路メトリックは、対応する(反転された)LLRの大きさによってペナルティを受ける。次いで、2L個の経路メトリックは記憶され、木トラバースは最良のL個の経路で再開する。外部コードがないとき、メッセージ818は、最良の経路メトリックを有する経路に対応する復号ビットに対応する。エンコーダ706に入力されるK個のビットを取得するために、外部コードが、最初に、メッセージ702のK'個のペイロードビットに適用されたとき、外部コードデコーダ、たとえばCRCデコーダは、L個の経路の各々の復号ビットに適用されてよく、メッセージ818は、外部コードデコーダ(たとえば、CRC検査に合格する復号ビットのベクトル)を満足する復号ビットのセットである。
【００７２】
図9は、ワイヤレスネットワーク100内で通信するために1つまたは複数のデバイス(たとえば、BS110および/またはUE120)によって使用されてもよいDL中心のサブフレームの一例を示す図900である。DL中心のサブフレームは、制御部分902を含んでもよい。制御部分902は、DL中心のサブフレームの最初の部分または開始部分に存在してもよい。制御部分902は、DL中心のサブフレームの様々な部分に対応する様々なスケジューリング情報および/または制御情報を含んでもよい。いくつかの構成では、制御部分902は、図9に示すように、物理DL制御チャネル(PDCCH)であってもよい。DL中心のサブフレームは、DLデータ部分904も含んでもよい。DLデータ部分904は時々、DL中心のサブフレームのペイロードと呼ばれてもよい。DLデータ部分904は、スケジューリングエンティティ(たとえば、UEまたはBS)から従属エンティティ(たとえば、UE)にDLデータを通信するために利用される通信リソースを含んでもよい。いくつかの構成では、DLデータ部分904は、物理DL共有チャネル(PDSCH)であってもよい。
【００７３】
DL中心のサブフレームは、共通UL部分906も含んでもよい。共通UL部分906は時々、ULバースト、共通ULバースト、および/または様々な他の適切な用語で呼ばれてもよい。共通UL部分906は、DL中心のサブフレームの様々な他の部分に対応するフィードバック情報を含んでもよい。たとえば、共通UL部分906は、制御部分902に対応するフィードバック情報を含んでもよい。フィードバック情報の非限定的な例は、ACK信号、NACK信号、HARQインジケータ、および/または様々な他の適切なタイプの情報を含んでもよい。共通UL部分906は、ランダムアクセスチャネル(RACH)手順、スケジューリング要求(SR)に関する情報、および様々な他の適切なタイプの情報などの追加のまたは代替の情報を含んでもよい。図9に示すように、DLデータ部分904の終わりは、共通UL部分906の始まりから時間的に分離されてもよい。この時間の分離は時々、ギャップ、ガード期間、ガードインターバル、および/または様々な他の適切な用語で呼ばれてもよい。この分離は、DL通信(たとえば、従属エンティティ(たとえば、UE)による受信動作)からUL通信(たとえば、従属エンティティ(たとえば、UE)による送信)への切替えのための時間を与える。上記はDL中心のサブフレームの一例にすぎず、同様の特徴を有する代替構造が必ずしも本明細書で説明する態様から逸脱することなく存在してもよいことを当業者は理解されよう。
【００７４】
図10は、ワイヤレスネットワーク100内で通信するために1つまたは複数のデバイス(たとえば、BS110および/またはUE120)によって使用されてもよいUL中心のサブフレームの一例を示す図1000である。UL中心のサブフレームは、制御部分1002を含んでもよい。制御部分1002は、UL中心のサブフレームの最初の部分または開始部分に存在してもよい。図10における制御部分1002は、図9を参照しながら上記で説明した制御部分と同様であってもよい。UL中心のサブフレームは、ULデータ部分1004も含んでもよい。ULデータ部分1004は時々、UL中心のサブフレームのペイロードと呼ばれてもよい。UL部分は、従属エンティティ(たとえば、UE)からスケジューリングエンティティ(たとえば、UEまたはBS)にULデータを通信するために利用される通信リソースを指すことがある。いくつかの構成では、制御部分1002は、物理DL制御チャネル(PDCCH)であってよい。
【００７５】
図10に示すように、制御部分1002の終わりは、ULデータ部分1004の始まりから時間的に分離されてもよい。この時間の分離は時々、ギャップ、ガード期間、ガードインターバル、および/または様々な他の適切な用語で呼ばれてもよい。この分離は、DL通信(たとえば、スケジューリングエンティティによる受信動作)からUL通信(たとえば、スケジューリングエンティティによる送信)への切替えのための時間を与える。UL中心のサブフレームは、共通UL部分1006も含んでもよい。図10における共通UL部分1006は、図9を参照しながら上記で説明した共通UL部分906と同様であってもよい。共通UL部分1006は、追加または代替として、チャネル品質インジケータ(CQI)、サウンディング基準信号(SRS)に関する情報、および様々な他の適切なタイプの情報を含んでもよい。上記はUL中心のサブフレームの一例にすぎず、同様の特徴を有する代替構造が、必ずしも本明細書で説明する態様から逸脱することなく存在してもよいことを当業者は理解されよう。
【００７６】
いくつかの状況では、2つ以上の従属エンティティ(たとえば、UE)はサイドリンク信号を使用して互いに通信することができる。そのようなサイドリンク通信の現実世界の適用例は、公共安全、近接サービス、UEからネットワークへの中継、車両間(V2V)通信、インターネットオブエブリシング(IoE:Internet of Everything)通信、IoT通信、ミッションクリティカルメッシュ、および/または様々な他の適切な適用例を含んでもよい。一般に、サイドリンク信号は、スケジューリングおよび/または制御のためにスケジューリングエンティティが利用されてもよいにもかかわらず、スケジューリングエンティティ(たとえば、UEまたはBS)を通じてその通信を中継せずに、ある従属エンティティ(たとえば、UE1)から別の従属エンティティ(たとえば、UE2)に通信される信号を指す場合がある。いくつかの例では、サイドリンク信号は、(通常は無認可スペクトルを使用するワイヤレスローカルエリアネットワークとは異なり)認可スペクトルを使用して通信されてもよい。
【００７７】
UEは、リソースの専用セットを使用してパイロットを送信することに関連する構成(たとえば、無線リソース制御(RRC)専用状態など)、またはリソースの共通セットを使用してパイロットを送信することに関連する構成(たとえば、RRC共通状態など)を含む、様々な無線リソース構成において動作してもよい。RRC専用状態において動作するとき、UEは、パイロット信号をネットワークに送信するために、リソースの専用セットを選択してもよい。RRC共通状態において動作するとき、UEは、パイロット信号をネットワークに送信するために、リソースの共通セットを選択してもよい。いずれの場合も、UEによって送信されるパイロット信号は、ANもしくはDU、またはそれらの部分などの1つまたは複数のネットワークアクセスデバイスによって受信されてもよい。各受信ネットワークアクセスデバイスは、リソースの共通セット上で送信されるパイロット信号を受信および測定するとともに、ネットワークアクセスデバイスがUEのためのネットワークアクセスデバイスの監視セットのメンバーであるUEに割り振られたリソースの専用セット上で送信されるパイロット信号も受信および測定するように構成されてもよい。受信ネットワークアクセスデバイスのうちの1つもしくは複数、または受信ネットワークアクセスデバイスがパイロット信号の測定値を送信する先のCUは、UE用のサービングセルを識別するために、またはUEのうちの1つもしくは複数のためのサービングセルの変更を開始するために、測定値を使用してもよい。
【００７８】
例示的なPolar符号
Polar符号は、シャノン容量を(無限大に近づくコードサイズNに対して)漸進的に達成することが証明された、コーディング理論における比較的新しいブレークスルーである。Polar符号は、(たとえば、高速アダマール変換(fast Hadamard transform)に基づく)決定論的構成、非常に低くかつ予測可能なエラーフロア、および単純な連続消去(SC)ベースの復号など、多くの望ましい特性を有する。それらは、現在、NRなど、次世代ワイヤレスシステムにおける誤り訂正に対する候補とみなされている。
【００７９】
Polar符号は長さN=2nの線形ブロックコードであり、それらの生成行列は、行列
【００８０】
【数１】
2021513789.tif 000003
【００８１】
のn次のクロネッカー累乗を使用して構築され、Gnで標示される。たとえば、方程式(1)は、n=3に対して得られた生成行列を示す。
【００８２】
【数２】
2021513789.tif 000004
【００８３】
いくつかの態様によれば、コードワードは、K個の情報ビットと、情報を含まず、ゼロなどの知られている値に「凍結」されるN-K個の「凍結」ビットとからなるいくつかの入力ビットを符号化するために、生成行列を使用することによって(たとえば、エンコーダ706によって)生成されてもよい。たとえば、いくつかの入力ビットu=(u0, u1, ... , uN-1)が与えられると、得られるコードワードベクトルx=(x0, x1, ... , xN-1)は、生成行列Gを使用して入力ビットを符号化することによって生成されてもよい。この得られたコードワードは、次いでレートマッチングされ、ワイヤレスモデムを介して基地局によって送信され、UEによって受信されてもよい。
【００８４】
受信されたベクトルが、たとえば逐次消去(SC)デコーダ(たとえば、デコーダ816)を使用することによって復号されると、あらゆる推定ビット
【００８５】
【数３】
2021513789.tif 000005
【００８６】
は、ビットu0i-1が正しく復号されたと仮定すると所定の誤り確率を有し、その誤り確率は、極めて大きいコードサイズNに対して、0または0.5のいずれかに向かう傾向がある。その上、推定されるビットと低い誤り確率との比は、下位のチャネルの容量(capacity of the underlying channel)になる傾向がある。Polar符号は、たとえば以下で説明するように、最信頼できるK個のビットを使用して情報を送信することによって、残りの(N-K)個のビットを凍結することとも呼ばれる所定の値(0など)に設定しながら、チャネル分極と呼ばれるこの現象を利用する。
【００８７】
Polar符号は、チャネルを、N個の情報に対するN個の並列「仮想」チャネルおよび凍結ビットに変換する。Cがチャネルの容量である場合、十分に大きいNの値に対して、極めて信頼できるほぼN*C個のチャネルが存在し、かつ極めて信頼できないほぼN(1-C)個のチャネルが存在する。次いで、基本的なPolarコーディング方式は、信頼できないチャネルに対応するuにおける入力ビットを凍結すること(すなわち、ゼロなどの知られている値に設定すること)と同時に、信頼できるチャネルに対応するuのビットの中にのみ情報ビットを設置することを伴う。小から中程度のNに対して、この分極は、まったく信頼できないでも、まったく信頼できるでもないいくつかのチャネル(すなわち、最低限度信頼できるチャネル)が存在する場合があるという意味で完全ではない。送信速度に応じて、これらの最低限度信頼できるチャネルに対応するビットは、凍結されるかまたは情報ビットに使用されるかのいずれであってもよい。
【００８８】
例示的なスクランブルされたペイロードの判定メトリックの合成
いくつかのセルラー通信技術(たとえば、ロングタームエボリューション(LTE))では、物理ブロードキャストチャネル(PBCH)などのチャネル上で送信されるペイロードデータは、複数の連続フレーム上で送られてよい。受信機において、複数の送信(たとえば、対数尤度比(LLR)などの判定メトリック)を介して受信されるペイロードデータは、後で受信されるデータのフレームの復号性能を改善するために合成されてよい。複数の送信の間を区別するために、エクストラビットが、システムフレーム番号(SFN)を示すためにフレーム内に割り振られる。
【００８９】
デルタ方式(delta scheme)として知られている、判定メトリックを合成するための基本方式が、複数の連続フレームを介して送信されたペイロード内の差分に基づく復号のために提案されている。たとえば、4G LTEでは、PBCH上で送信されたペイロードは、テイルバイティング畳み込み符号(TBCC:Tail-Biting Convolutional Coding)符号化の後にスクランブルされ、受信デバイス(たとえば、UE)に送信されてよい。受信機において、デルタ方式では、PBCH上で受信されたペイロードは、(現在の)ペイロードを単にデスクランブルし、それを前に保存された、前の送信のデスクランブルされたペイロードに加えることによって、複数の送信上で合成されてよい。たとえば、デルタ方式は、2つの連続送信のペイロード間の差分(すなわち、デルタ)を取ることと、デルタビットが現在の送信のLLRに及ぼす影響を消去することとを伴う。その後、現在および前の送信のLLRのHARQ合成が、復号性能を改善するために実行されてよい。
【００９０】
しかしながら、5G NRでは、ペイロードは、Polar符号化の前と後の両方でスクランブルされ、したがって、復号の前に複数の送信上でスクランブルされたペイロードを合成することは、4G LTEにおいて使用されるものと異なる手法を必要とする。
【００９１】
したがって、本開示の態様は、5G NRにおいて複数の送信上のペイロードの合成を可能にするための技法を提案する。たとえば、場合によっては、5G NRにおいて複数の送信上のペイロードを合成することは、選択的に設定される複数のペイロードマスクビットを含むペイロードを、受信機において生成して符号化することを伴う場合がある。受信機において生成されて符号化されたペイロードは、次いで、受信機においてワイヤレス媒体を介して受信されたLLR内の影響を除去する(たとえば、デスクランブルする)ために使用されてよい。たとえば、受信されたLLRは、送信機において符号化する前(たとえば、第1のスクランブリング)と後(たとえば、第2のスクランブリング)の両方でスクランブルされた情報のビットに対応してよい。受信機において、受信機において生成されて符号化された第2のペイロードは、情報のビットが送信機において符号化される前に発生する受信されたLLR内の第1のスクランブリングの影響を除去する(たとえば、デスクランブルする)ために使用されてよい。受信されたLLR内の第1のスクランブリングの影響を除去することによって、受信機は、複数の5G NR送信を結合することができ、それによって、復号性能が改善される。
【００９２】
図11は、本開示のいくつかの態様による、スクランブルされたペイロードの判定メトリックを合成するための例示的な動作を示す。場合によっては、動作1100は、5Gシステムにおける物理ブロードキャストチャネル(PBCH)の復号性能を改善するために使用されてもよい。いくつかの態様によれば、動作1100は、たとえば、基地局(たとえば、110)、ユーザ機器(たとえば、UE120)、および/またはワイヤレス通信デバイス602など、任意の適切なワイヤレス送信デバイスによって実行されてもよい。
【００９３】
ワイヤレス通信デバイスは、本明細書で説明する動作を実行するように構成されてもよい、図4および図6に示す1つまたは複数の構成要素を含んでもよい。たとえば、図4に示す基地局の110のアンテナ434、変調器/復調器432、送信プロセッサ420、コントローラ/プロセッサ440、および/またはメモリ442は、本明細書で説明する動作を実行してもよい。追加または代替として、図4に示すユーザ機器120のアンテナ452、復調器/変調器454、送信プロセッサ464、コントローラ/プロセッサ480、および/またはメモリ482は、本明細書で説明する動作を実行してもよい。追加または代替として、図6に示すプロセッサ604、メモリ606、トランシーバ614、DSP620、エンコーダ622、デコーダ624、および/またはアンテナ616のうちの1つまたは複数は、本明細書で説明する動作を実行するように構成されてもよい。
【００９４】
動作1100は、1102において、第1のペイロードのビットに対応する第1のコードワードの対数尤度比(LLR)を現在の送信内で受信することによって開始し、第1のペイロードのビットは、第1のコードワードを形成するために符号化される前に1度目のスクランブルが施され、第1のコードワードのビットは、第1のコードワードの符号化の後で送信の前にさらに2度目のスクランブルが施される。
【００９５】
1104において、ワイヤレス通信デバイスは、現在の送信の受信に応答して第2のペイロードを生成し、第2のペイロードを生成することは、第2のペイロード内で複数のペイロードマスクビットを選択的に設定することを含む。
【００９６】
1106において、ワイヤレス通信デバイスは、第2のコードワードを形成するために第2のペイロードを符号化する。たとえば、場合によっては、ワイヤレス通信デバイスは、Polar符号を使用して第2のペイロードを符号化してもよい。
【００９７】
1108において、ワイヤレス通信デバイスは、第1のスクランブリングシーケンスを生成する。場合によっては、第1のスクランブリングシーケンスは、現在の送信を送信したセルのセルIDに基づいて初期化されてよい、長さ31のGoldシーケンス生成器(length-31 Gold sequence generator)によって定義される疑似ランダムシーケンスを含んでもよい。
【００９８】
1110において、ワイヤレス通信デバイスは、2度目のスクランブリングと関連付けられた受信されたLLR内の第1の影響を、第1のスクランブリングシーケンスに基づいて除去する。場合によっては、受信されたLLR内の第1の影響を除去することは、2度目のスクランブリング(たとえば、受信されたLLRに対応する第1のコードワードの符号化の後で送信の前に、2度目にさらにスクランブルされた第1のコードワードのビットのスクランブリング)を除去するためにLLRをデスクランブルすることを含む。
【００９９】
1112において、ワイヤレス通信デバイスは、1度目のスクランブリングと関連付けられた受信されたLLR内の第2の影響を、第2のコードワードに基づいて除去する。場合によっては、受信されたLLR内の第2の影響を除去することは、1度目のスクランブリング(たとえば、第1のコードワードを形成するために符号化される前に1度目にスクランブルされた第1のペイロードのビットのスクランブリング)を除去するためにLLRをデスクランブルすることを含む。
【０１００】
1114において、ワイヤレス通信デバイスは、受信されたLLR内の第1の影響および第2の影響が除去された後、現在の送信の受信されたLLRを前の送信のLLRと合成する。態様によれば、前の送信のLLRも、現在の送信のLLRと同じ方法で処理されている。すなわち、ワイヤレス通信デバイスにおいて受信された後、前の送信のLLRも、送信機における符号化の前(たとえば、1度目)および後(たとえば、2度目)に発生するスクランブリングの影響を除去するために処理されている。
【０１０１】
1116において、ワイヤレス通信デバイスは、現在の送信の合成されたLLRおよび前の送信のLLRに少なくとも部分的に基づいて第1のコードワードを復号する。
【０１０２】
上述のように、本開示の態様は、5G NRにおいて複数の送信(たとえば、PBCH送信)上のペイロードの合成を可能にするための技法を提案する。下のTable 1(表1)は、5G NR内のPBCHの基本的なフレーム構造を示す。
【０１０３】
【表１】
2021513789.tif 000006
【０１０４】
4G LTEでは、同じペイロードが、40msにわたって結合されるべき4つの10msフレーム上で送信される一方で、5G NRでは、異なるペイロードが、4つの20msフレーム上で送信される。その結果、5G NRでは、マスタ情報ブロック(MIB)ビットのみが、異なるペイロードにわたって同じであり、残りのペイロードビットは異なる。Table 1(表1)に示すように、5G NRにおいて送信間で異なってもよいビットは、ペイロードマスクビット(すなわち、仮説インデックスビット(hypothesis index bit))S9〜S0、C0、b5〜b3である。ビットb2〜b0も仮説インデックスの一部であり、2次同期信号(SSS)復号から取得される。5G NRでは、20msの送信内に、4つの5msバーストセットがある。ビットS0およびC0は、20msフレーム内の5msバーストセットを区別するために使用される。1つのバーストセット内の複数のバーストは、b5〜b0を使用して区別され、ビットS2およびS1は、20ms送信をインデックス付けるために使用される。ビットS9〜S3は、80ms送信をインデックス付けるために使用される。
【０１０５】
5G NRでは、ペイロードビットは符号化の前と後の両方でスクランブルされるので、プリエンコーディングスクランブリングの影響は、既存の技法を使用しても除去されない。しかしながら、本開示の態様は、符号化プロセスの前にスクランブリングの影響を除去することを可能にする技法を提案する。たとえば、場合によっては、符号化プロセスの前にスクランブリングを除去することは、符号化の前に1度目のスクランブルが施され、符号化の後にも2度目のスクランブルが施された第1のペイロードに対応する現在の送信を、ワイヤレス通信デバイス(たとえば、受信機)において受信することを伴ってもよい。態様によれば、第1のペイロードは、たとえば、上記で説明したように、第1の複数のペイロードマスクビットを含んでもよい。
【０１０６】
さらに、ワイヤレス通信デバイスは、第2のペイロードを生成し、(たとえば、第1のペイロード内で設定されたペイロードマスクビットにマッチするように試行するために)第2のペイロード内の第2の複数のペイロードマスクビットを選択的に設定してもよい。態様によれば、ワイヤレス通信デバイスは、次いで、(たとえば、Polar符号を使用して)第2のペイロードを符号化してもよく、第2のペイロード内で選択的に設定されたペイロードマスクビットを使用して、第1のペイロード内の第1の複数のペイロードマスクビットの影響(たとえば、符号化の前に発生するスクランブリング)を除去することを試みてもよい。態様によれば、現在の送信の第1のペイロード内の第1の複数のペイロードマスクビットの影響が除去されると、現在の送信は、前の送信と結合されて、コードワードを復号するために使用されてもよい。本開示の態様は、次に、図12に関して、本プロセスのより詳細な説明を提供する。
【０１０７】
図12は、本開示のいくつかの態様による、後で受信されたフレームの復号性能を改善するために、5G NRシステム内のワイヤレス通信デバイスにおける送信を結合するための技法を示すブロック図である。態様によれば、図12に示すブロック/技法は、基地局(たとえば、110)、ユーザ機器(たとえば、UE120)、および/またはワイヤレス通信デバイス602などのワイヤレス通信デバイスによって実装されてよい。
【０１０８】
図示のように、1202において、ワイヤレス通信デバイス(たとえば、UE120などの受信機)は、第1のコードワードの複数のLLRを含む現在の送信を、送信デバイス(たとえば、BS110)から受信してよい。態様によれば、複数のLLRは、第1のコードワードを形成するために符号化される前に1度目のスクランブルが施され、(スクランブルされた)第1のコードワードの符号化の後で送信の前にさらに2度目のスクランブルが施された、第1のペイロードのビットに対応してよい。態様によれば、現在の送信は、たとえば、Table1(表1)に関して上記のとおり説明したように、第1の複数のペイロードマスクビットを含むPBCHペイロードに対応してよい。第1の複数のペイロードマスクビットは、送信デバイスによって選択的に設定されてよく、そのペイロードマスクビットの特定の設定は、受信ワイヤレス通信デバイスに知られなくてもよい。加えて、第1のコードワードは、第1のペイロードのビットに基づいて生成されたCRCを含んでもよい。態様によれば、および以下でより詳細に説明するように、第1のコードワード内に含まれるCRCは、本明細書で説明するプロセスを合成するペイロードに鑑みて第1のコードワードが正しく復号されるかどうかを決定するために使用されてもよい。
【０１０９】
1204において、ワイヤレス通信デバイスは、たとえば、線形帰還シフトレジスタ(LFSR)を使用して、長さ8M(たとえば、5G NRの場合はM=864)の疑似ランダムシーケンスc0,c1,c2,...,cM-1を生成してよい。場合によっては、疑似ランダムシーケンスは、現在の送信を送信したセルのセルIDに基づいて初期化されてよい、長さ31のGoldシーケンス生成器によって定義されてもよい。加えて、ビットb0、b1およびb2は、2次同期信号(SSS)復号から取得されてもよく、8*Mの長さシーケンスから長さMのシーケンスを選択するために、ワイヤレス通信デバイスによって使用されてもよい。
【０１１０】
1206において、ワイヤレス通信デバイスは、この疑似ランダムシーケンスを使用して、(受信されたLLRに対応する)ペイロードビットが符号化された後に発生したスクランブリングと関連付けられた受信されたLLR内のスクランブリング(すなわち、2度目と関連付けられたスクランブリング)の影響を除去してもよい。態様によれば、1206におけるデスクランブリングの出力シーケンスは、以下のアルゴリズムに基づいてよい。
For i=0 to M-1
if ci=0
ri'=ri
else ci=1
ri'=(-1*ri)
end
end
【０１１１】
1208において、ワイヤレス通信デバイスは、デスクランブルされたLLRをデレートマッチングしてデインターリーブしてよい。態様によれば、デレートマッチングは、LLRの数をMからNに低減することを伴ってもよく、ここでデインターリービングは、LLRをインターリーブされた順序から順次的順序に並べ替える。加えて、デインターリービング動作は、長さNのLLR上で実行されてもよいことに留意されたい。
【０１１２】
1210において、ワイヤレス通信デバイスは、長さPの第2のペイロードを生成し、(たとえば、第1のペイロード内で設定されたペイロードマスクビットにマッチするように試行するために)第2のペイロード内の第2の複数のペイロードマスクビットを選択的に設定してもよい。たとえば、ワイヤレス通信デバイスは、ビットインデックスs9〜s0、c0およびb5〜b3に対応する第2のペイロード内の第2の複数のペイロードマスクビットを選択的に設定してもよい。第2のペイロード内のすべての他のビットは、ゼロに設定されてもよい。
【０１１３】
1212において、ワイヤレス通信デバイスは、長さ31のGoldシーケンス生成器によって定義される第2の疑似ランダムシーケンスを、(たとえば、線形帰還シフトレジスタ(LFSR)を使用して)生成する。場合によっては、第2の疑似ランダムシーケンスは、現在の送信を送信したセルのセルIDに基づいてもよい。態様によれば、長さMPNの出力シーケンスc(n)、ここでn=0,1,...,MPN-1、は、
c(n)=(x1(n+NC)+x2(n+NC))mod 2
x1(n+31)=(x1(n+3)+x1(n))mod 2
x2(n+31)=(x2(n+3)+x2(n+2)+x2(n+1)+x2(n))mod 2
によって定義されてよく、ここでNc=1600であり、第1のm-シーケンスは、x1(0)=1, x1(n)=0, n=1, 2,..., 30によって初期化されてよい。さらに、第2のm-シーケンスの初期化は、
【０１１４】
【数４】
2021513789.tif 000007
【０１１５】
によって示されてよく、その値は、シーケンスの適用例に依存する。態様によれば、第2の疑似ランダムシーケンスは、長さ4*Pとして生成されてよい。
【０１１６】
1214において、ワイヤレス通信デバイスは、たとえば、(たとえば、1210において選択的に設定された)第2のペイロード内のS2、S1ビットに基づいて、長さ4Pの第2の疑似ランダムシーケンスから長さPのシーケンスを(たとえば、MUXを使用して)選択する。たとえば、ワイヤレス通信デバイスは、以下のTable2(表2)に基づいて長さPのシーケンスを選択してもよい。
【０１１７】
【表２】
2021513789.tif 000008
【０１１８】
1216において、ワイヤレス通信デバイスは、1212および1214において生成/選択された第2の疑似ランダムシーケンスを使用して、1210において生成された第2のペイロードを(たとえば、ビット単位の(bit-wise)XOR演算を使用して)スクランブルする。態様によれば、第2のペイロード内のマスクビットb5〜b3、c0、s2およびs1は、スクランブリングからスキップされてもよい。
【０１１９】
1218において、ワイヤレス通信デバイスは、1216のスクランブルされた出力に基づいて、巡回冗長検査(CRC)シーケンスを生成する。1220および1222において、CRCは、(1210において生成された第2のペイロードのビットおよび1218において生成されたCRCのビットを含む)情報シーケンスを形成するために、1216のスクランブルされた出力に添付され、その出力とインターリーブされてよい。いくつかの態様によれば、インターリービングは、あらかじめ定義されたパターンに従って実行されてもよい。
【０１２０】
1224において、ワイヤレス通信デバイスは、たとえば、上記で説明した技法を使用して、Polar符号を使用して(1210において生成された第2のペイロードのビットおよび1218において生成されたCRCのビットを含む)情報シーケンスを符号化する。
【０１２１】
1226において、1224の出力に基づいて、ワイヤレス通信デバイスは、第1のペイロードが符号化される前に発生する(送信機における)スクランブリング(すなわち、1度目と関連するスクランブリング)と関連付けられた、第1のペイロードに対応した、受信されたLLR内のスクランブリングの影響を除去する(たとえば、デスクランブルする)。たとえば、1224の出力に基づいて、ワイヤレス通信デバイスは、第2のペイロード内の複数の選択的に設定されたペイロードマスクビットを使用して、受信されたLLR内のペイロードマスクビットと関連付けられた影響を除去してよい。たとえば、複数の選択的に設定されたペイロードマスクビットは、複数のデスクランブラビットを導出するために1226においてデスクランブラによって使用されてよく、複数のデスクランブラビットは、次いで、(たとえば、上述のように、第1のペイロードが符号化される前に発生する送信機におけるペイロードビットのスクランブリングの影響を除去するために)受信されたLLR上でデスクランブリングを実行するために使用される。
【０１２２】
1228において、1度目のスクランブリングおよび2度目のスクランブリングと関連付けられた影響が、現在の送信の受信されたLLRから除去された後、現在の送信のLLRは、(たとえば、上記で説明したステップを使用して処理された)前の送信のLLRと合成されてよい。たとえば、ハイブリッド自動再送要求(HARQ)合成として知られている合成は、現在の送信内で受信された長さNのLLRを前の送信内で受信されたそれぞれのLLRに加えることを伴ってもよい。たとえば、QビットのLLR幅を仮定すると、現在の送信からのN個のLLRは、前の送信からのN個のLLRと、1対1の加算で合成されてもよい。たとえば、現在の送信からのLLR0は、前の送信のLLR0と加算されてよく、現在の送信からのLLR1は、前の送信のLLR1と加算されてよく、以下同様。したがって、加算の出力は、長さNのLLRである。たとえば、a=[a(0),a(1),....,a(N-1)]が、現在の送信のLLRであるとする。さらに、b=[b(0),b(1),.....,b(N)]が、前の送信のLLRであるとする。最後に、c=[c(0),c(1),....,c(N)]が、HARQ合成の結果であるとする。態様によれば、HARQ合成は、以下のアルゴリズムに従って実行されてよい。
for i=0:N-1
c(i)=a(i)+b(i)
end
【０１２３】
1230において、ワイヤレス通信デバイスは、現在の送信の合成されたLLRおよび前の送信のLLRに少なくとも部分的に基づいて、第1のコードワード(たとえば、1202において受信されたLLRに対応する)を復号してよい。
【０１２４】
1232において、ブロック1230の出力(たとえば、復号された第1のコードワード)は、次いで、外部コードデコーダに入力されてよい。態様によれば、ワイヤレス通信デバイスは、復号された第1のコードワード内に含まれるCRC(すなわち、復号された第1のコードワードに対応する第1のペイロード)がCRC検査に合格するかどうかを決定するために、1232において復号された第1のコードワードを処理してよい。態様によれば、復号された第1のコードワード内に含まれるCRCが合格する場合、ペイロード合成技法は、ワイヤレス通信デバイスによって成功すると見なされてよい。
【０１２５】
しかしながら、復号された第1のコードワード内に含まれるCRCがCRC検査に合格することに失敗する場合、ワイヤレス通信デバイスは、ブロック1210に戻って、第2のペイロードの生成を反復し、(たとえば、第1のペイロード内で設定されたそれらのマスクビットにマッチするように再試行して)第2のペイロード内の第2の複数のペイロードマスクビットを、前の第2のペイロードと異なる値に選択的に設定してもよい。態様によれば、復号された第1のコードワード内に含まれるCRCは、第2の複数のペイロードマスクビットが正しい値に設定されない(たとえば、第1のペイロード内の第1の複数のペイロードマスクビットの値にマッチしない値に設定される)ことに起因して、CRC検査に合格することに失敗する場合がある。したがって、ブロック1210〜1232で説明する技法は、復号された第1のペイロード内に含まれるCRCがCRC検査に合格する(たとえば、第2のペイロード内の第2の複数のペイロードマスクビットが第1のペイロード内の第1の複数のペイロードマスクビットにマッチするように正しく設定されたことを暗示する)まで、毎回、第2のペイロード内の第2の複数のペイロードマスクビットに対して異なる値で、反復して実行されてよい。上述のように、復号された第1のコードワード内に含まれるCRCが合格するとき、ペイロード合成技法は、ワイヤレス通信デバイスによって成功すると見なされてよい。
【０１２６】
態様によれば、上記で説明した技法は、プリエンコーディングでスクランブルされ、複数の送信上で送信されるペイロードを合成する方法を提供する。態様によれば、合成は、多様性およびエネルギー合成利得の活用に役立ち、したがって、ワイヤレス通信デバイスにおける復号性能を改善する。たとえば、NR 5Gでは、上記で説明した技法は、PBCH(または、そのチャネルの送信されるペイロードが符号化の前と後にスクランブルされる任意の他のタイプのチャネル)の復号性能を改善するために使用されてよい。さらに、上記で提案する合成方式は、非デルタ方式である。上記で説明したデルタ方式とは異なり、非デルタ方式は、HARQ合成に対する2つの送信の間のペイロードにおける差分を計算する必要性を要求しない。したがって、ワイヤレス通信デバイスにおけるハードウェア/ファームウェア実装の複雑さは低減される場合がある。
【０１２７】
本開示の態様は、ワイヤレス通信システム内でペイロードを合成するための技法を提案するが、本明細書で提示する技法は、そのようなワイヤレス通信システムに限定されないことを理解されたい。たとえば、本明細書で提示する技法は、データの記憶もしくは圧縮、またはファイバ通信システム、有線接続の「銅」通信システムなど、符号化方式を使用する任意の他のシステムに等しく適用され得る。加えて、本明細書で提示する技法は、一般に、PBCH上で送信される情報のペイロード合成を対象とするが、これらの技法は、情報の符号化の前に送信機においてスクランブルされる任意のタイプのチャネル上で送信される任意のタイプの情報に等しく適用されてもよいことを理解されたい。
【０１２８】
本明細書で使用する場合、項目の列挙「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または任意の他の順序のa、b、およびc)を包含するものとする。
【０１２９】
本明細書で使用する「決定すること」という用語は、幅広い様々なアクションを包含する。たとえば、「決定すること」は、算出すること、計算すること、処理すること、導出すること、調査すること、ルックアップすること(たとえば、テーブル、データベースまたは別のデータ構造においてルックアップすること)、確認することなどを含んでもよい。また、「決定すること」は、受信すること(たとえば、情報を受信すること)、アクセスすること(たとえば、メモリ内のデータにアクセスすること)などを含んでもよい。また、「決定すること」は、解決すること、選択すること、選出すること、確立することなどを含んでもよい。
【０１３０】
場合によっては、デバイスは、フレームを実際に送信するのではなく、送信のためのフレームを出力するインターフェースを有してもよい。たとえば、プロセッサは、送信のためにバスインターフェースを介してRFフロントエンドにフレームを出力してもよい。同様に、デバイスは、フレームを実際に受信するのではなく、別のデバイスから受信したフレームを取得するためのインターフェースを有してもよい。たとえば、プロセッサは、送信のためにRFフロントエンドからバスインターフェースを介してフレームを取得(または受信)してもよい。
【０１３１】
上記で説明した方法の様々な動作は、対応する機能を実行することが可能な任意の適切な手段によって実行されてもよい。手段は、限定はしないが、回路、特定用途向け集積回路(ASIC)、またはプロセッサを含む、様々なハードウェアおよび/またはソフトウェア構成要素および/またはモジュールを含んでもよい。一般に、図に示す動作がある場合、それらの動作は、同様の番号を付された対応する同等のミーンズプラスファンクション構成要素を有してもよい。
【０１３２】
たとえば、送信するための手段、受信するための手段、決定するための手段、生成するための手段、符号化するための手段、復号するための手段、除去するための手段、合成するための手段、使用するための手段、スクランブルするための手段、デスクランブルするための手段、含めるための手段、検査するための手段、および/または反復するための手段は、BS110における送信プロセッサ420、コントローラ/プロセッサ440、受信プロセッサ438、もしくはアンテナ434、および/またはUE120における送信プロセッサ464、コントローラ/プロセッサ480、受信プロセッサ458、もしくはアンテナ452など、BS110またはUE120における1つまたは複数のプロセッサまたはアンテナを備えてもよい。
【０１３３】
本開示に関連して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、ディスクリートゲートもしくはトランジスタ論理、ディスクリートハードウェア構成要素、または本明細書で説明する機能を実行するように設計されたそれらの任意の組合せを用いて実装または実行されてもよい。汎用プロセッサは、マイクロプロセッサであってもよいが、代替として、プロセッサは、任意の市販のプロセッサ、コントローラ、マイクロコントローラ、またはステートマシンであってもよい。プロセッサはまた、コンピューティングデバイスの組合せ、たとえばDSPとマイクロプロセッサとの組合せ、複数のマイクロプロセッサ、DSPコアと連携した1つもしくは複数のマイクロプロセッサ、または任意の他のそのような構成として実装されてもよい。
【０１３４】
ハードウェアにおいて実装される場合、例示的なハードウェア構成は、ワイヤレスノード内の処理システムを含んでもよい。処理システムは、バスアーキテクチャを用いて実装されてもよい。バスは、処理システムの特定の適用例および全体的な設計制約に応じて、任意の数の相互接続バスおよびブリッジを含んでもよい。バスは、プロセッサ、機械可読媒体、およびバスインターフェースを含む様々な回路を互いにリンクさせてもよい。バスインターフェースは、バスを介して、とりわけ処理システムにネットワークアダプタを接続するために使用されてもよい。ネットワークアダプタは、PHYレイヤの信号処理機能を実装するために使用されてもよい。ユーザ機器120(図1参照)の場合、ユーザインターフェース(たとえば、キーパッド、ディスプレイ、マウス、ジョイスティックなど)がバスに接続されてもよい。バスは、タイミングソース、周辺装置、電圧調整器、電力管理回路などの様々な他の回路をリンクさせる場合があるが、これらの回路は当技術分野でもよく知られており、したがってこれ以上は説明しない。プロセッサは、1つまたは複数の汎用プロセッサおよび/または専用プロセッサを用いて実装されてもよい。例には、マイクロプロセッサ、マイクロコントローラ、DSPプロセッサ、およびソフトウェアを実行できる他の回路が含まれる。当業者は、特定の適用例とシステム全体に課せられた全体的な設計制約とに応じて処理システムに関する上述の機能を最も適切に実装するにはどうすべきかを認識するであろう。
【０１３５】
ソフトウェアにおいて実装される場合、機能は、1つまたは複数の命令またはコードとしてコンピュータ可読媒体上に記憶されるか、またはコンピュータ可読媒体を介して送信されてもよい。ソフトウェアは、ソフトウェア、ファームウェア、ミドルウェア、マイクロコード、ハードウェア記述言語と呼ばれるか、または他の名称で呼ばれるかどうかにかかわらず、命令、データ、またはそれらの任意の組合せを意味するように広く解釈されるべきである。コンピュータ可読媒体は、コンピュータ記憶媒体と、ある場所から別の場所へのコンピュータプログラムの伝達を容易にする任意の媒体を含む通信媒体との両方を含む。プロセッサは、機械可読記憶媒体に記憶されたソフトウェアモジュールの実行を含む、バスおよび一般的な処理を管理することを担ってもよい。コンピュータ可読記憶媒体は、プロセッサがその記憶媒体から情報を読み取ることができ、かつその記憶媒体に情報を書き込むことができるようにプロセッサに結合されてもよい。代替として、記憶媒体は、プロセッサと一体であってもよい。例として、機械可読媒体は、送信線路、データによって変調された搬送波、および/またはワイヤレスノードとは別個の命令が記憶されたコンピュータ可読記憶媒体を含んでもよく、これらはすべて、バスインターフェースを介してプロセッサによってアクセスされる場合がある。代替としてまたは追加として、機械可読媒体またはその任意の部分は、キャッシュおよび/または汎用レジスタファイルと同様にプロセッサに統合されてもよい。機械可読記憶媒体の例は、例として挙げると、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは任意の他の適切な記憶媒体、またはそれらの任意の組合せがあってもよい。機械可読媒体はコンピュータプログラム製品内で具現化されてもよい。
【０１３６】
ソフトウェアモジュールは、単一の命令または多くの命令を含んでもよく、いくつかの異なるコードセグメントにわたって、異なるプログラム間で、また複数の記憶媒体にわたって分散されてもよい。コンピュータ可読媒体は、いくつかのソフトウェアモジュールを含んでもよい。ソフトウェアモジュールは、プロセッサなどの装置によって実行されると、処理システムに様々な機能を実行させる命令を含む。ソフトウェアモジュールは、送信モジュールと受信モジュールとを含んでもよい。各ソフトウェアモジュールは、単一の記憶デバイス内に存在しても、または複数の記憶デバイスにわたって分散されてもよい。例として、トリガイベントが発生したときに、ソフトウェアモジュールは、ハードドライブからRAMにロードされてもよい。ソフトウェアモジュールの実行中、プロセッサは、アクセス速度を高めるために、命令のうちのいくつかをキャッシュにロードしてもよい。1つまたは複数のキャッシュラインが、次いでプロセッサによって実行されるように汎用レジスタファイルにロードされてもよい。以下でソフトウェアモジュールの機能に言及する場合、そのような機能は、そのソフトウェアモジュールからの命令を実行するときにプロセッサによって実装されることが理解されよう。
【０１３７】
また、任意の接続が、適切にコンピュータ可読媒体と呼ばれる。たとえば、ソフトウェアが、同軸ケーブル、光ファイバーケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、レーザを用いてデータを光学的に再生する。したがって、いくつかの態様では、コンピュータ可読媒体は、非一時的コンピュータ可読媒体(たとえば、有形媒体)を含んでもよい。加えて、他の態様の場合、コンピュータ可読媒体は、一時的コンピュータ可読媒体(たとえば、信号)を含んでもよい。上記の組合せもコンピュータ可読媒体の範囲に含まれるべきである。
【０１３８】
さらに、本明細書で説明する方法および技法を実行するためのモジュールおよび/または他の適切な手段は、適用可能な場合、ユーザ端末および/または基地局によってダウンロードおよび/または別の方法で取得されてもよいことを理解されたい。たとえば、そのようなデバイスは、本明細書で説明する方法を実行するための手段の転送を容易にするためにサーバに結合されてもよい。代替的に、本明細書で説明する様々な方法は、ユーザ端末および/または基地局が記憶手段(たとえば、RAM、ROM、コンパクトディスク(CD)またはフロッピーディスクなどの物理的記憶媒体など)をデバイスに結合または提供すると様々な方法を取得することができるように、記憶手段を介して提供されてもよい。さらに、本明細書で説明する方法および技法をデバイスに提供するための任意の他の適切な技法が利用されてもよい。
【０１３９】
特許請求の範囲が上記で示した厳密な構成および構成要素に限定されないことを理解されたい。特許請求の範囲の範囲から逸脱することなく、上記で説明した方法および装置の構成、動作、および詳細において、様々な修正、変更、および変形が加えられてもよい。
【符号の説明】
【０１４０】
100  ワイヤレスネットワーク
102a  マクロセル
102b  マクロセル
102c  マクロセル
102x  ピコセル
102y  フェムトセル
102z  フェムトセル
110  BS、基地局
110a  BS
110b  BS
110c  BS、マクロBS
110r  中継局
110x  BS
110y  BS
110z  BS
118  PDNゲートウェイ
120  UE、ユーザ機器
120a  UE
120r  UE
120y  UE
130  ネットワークコントローラ
200  分散型無線アクセスネットワーク(RAN)、分散型RAN
202  アクセスノードコントローラ(ANC)
204  次世代コアネットワーク(NG-CN)
206  5Gアクセスノード
208  TRP、DU
210  次世代AN(NG-AN)
220  送信プロセッサ
234  アンテナ
238  受信プロセッサ
240  コントローラ/プロセッサ
252  アンテナ
258  受信プロセッサ
264  送信プロセッサ
280  コントローラ/プロセッサ
300  分散型RAN
302  集中型コアネットワークユニット(C-CU)
304  集中型RANユニット(C-RU)
306  DU
412  データソース
420  プロセッサ、送信プロセッサ
430  プロセッサ、送信(TX)多入力多出力(MIMO)プロセッサ
432  変調器
432a〜432t  変調器(MOD)
434  アンテナ
434a〜434t  アンテナ
436  MIMO検出器
438  プロセッサ、受信プロセッサ
439  データシンク
440  コントローラ/プロセッサ、プロセッサ
442  メモリ
444  スケジューラ
452  アンテナ
452a〜452r  アンテナ
454  復調器
454a〜454r  復調器(DEMOD)
456  MIMO検出器
458  プロセッサ、受信プロセッサ
460  データシンク
462  データソース
464  プロセッサ、送信プロセッサ
466  プロセッサ、TX MIMOプロセッサ
480  コントローラ/プロセッサ
482  メモリ
500  図
505-a  第1のオプション
505-b  第2のオプション
510  無線リソース制御(RRC)レイヤ
515  パケットデータコンバージェンスプロトコル(PDCP)レイヤ
520  無線リンク制御(RLC)レイヤ
525  媒体アクセス制御(MAC)レイヤ
530  物理(PHY)レイヤ
602  ワイヤレス通信デバイス
604  プロセッサ
606  メモリ
608  ハウジング
610  トランスミッタ
612  レシーバ
614  トランシーバ
616  送信アンテナ
618  信号検出器
620  デジタル信号プロセッサ(DSP)
622  エンコーダ
624  デコーダ
626  バスシステム
702  メッセージ
704  無線周波数(RF)モデム
706  エンコーダ
708  符号化ビットストリーム
710  マッパ
712  Txシンボル
714  Txチェーン
716  RF信号
718  アンテナ
802  アンテナ
806  Rxチェーン
808  シンボル
810  RFモデム、モデム
812  デマッパ
814  ビットストリーム、受信ビットストリーム
816  デコーダ
818  メッセージ
900  図
902  制御部分
904  DLデータ部分
906  共通UL部分
1000  図
1002  制御部分
1004  ULデータ部分
1006  共通UL部分
1100  動作
【図１】
2021513789.tif 000009
【図２】
2021513789.tif 000010
【図３】
2021513789.tif 000011
【図４】
2021513789.tif 000012
【図５】
2021513789.tif 000013
【図６】
2021513789.tif 000014
【図７】
2021513789.tif 000015
【図８】
2021513789.tif 000016
【図９】
2021513789.tif 000017
【図１０】
2021513789.tif 000018
【図１１】
2021513789.tif 000019
【図１２】
2021513789.tif 000020
【国際調査報告】
2021513789.tif 000021
2021513789.tif 000022